(57)【要約】【課題】基板ボックスを不正に開放させる行為を好適に抑制することを可能としつつ、当該基板ボックスの組み上げ作業を良好に行うことのできる遊技機を提供する。【解決手段】主制御装置６３の基板ボックス９２は表側構成体１０１と裏側構成体１０２とを備えており、当該基板ボックス９２の内部空間に主制御基板９１が収容されている。裏側構成体１０２には溝部１５５が形成されており、当該溝部１５５に金属製の受け部材１５３が設置されている。受け部材１５３の取り外し軌道上には、カバー部材１５４が配置されている。カバー部材１５４にはカバー側係止部１９６が形成されており、裏側構成体１０２にはカバー側係止部１９６によって係止される構成体側係止部１５８が形成されている。構成体側係止部１５８のアーム部１９７と、カバー側係止部１９６の起立部１９９との両者の弾性変形に基づいて、両係止部１５８，１９６の係止状態が解除される。【選択図】      図２２
2015110177.tif 000002
【特許請求の範囲】
【請求項１】
複数のボックス構成体が組み合わされることにより形成された基板ボックスと、
前記基板ボックスの内部空間に収容された制御基板と、
前記基板ボックスの内部空間が開放されないように前記複数のボックス構成体を離脱不可又は離脱困難な状態で相互に固定する固定手段と、
前記固定手段を構成する固定具と、
前記固定手段を構成し、前記ボックス構成体に設けられた設置部に対して設置され、前記固定具が固定される受け部材と、
前記ボックス構成体に対して当該ボックス構成体との間に前記受け部材を挟んだ状態で装着され、前記固定具の前記受け部材に対する装着を許容しつつ、前記受け部材の少なくとも一部を覆うカバー部材と、
前記カバー部材と前記ボックス構成体との組み合わせ作業時におけるそれらカバー部材及びボックス構成体の相対移動方向を所定の方向に規定する規定部と、
前記ボックス構成体からの前記カバー部材の取り外しを規制する規制手段と
を備え、
前記規制手段は、
前記ボックス構成体に設けられたボックス側係止部と、
前記カバー部材に設けられ、前記ボックス側係止部に係止されることにより前記ボックス構成体からの前記カバー部材の取り外しを規制するカバー側係止部と、
弾性変形することにより前記ボックス側係止部を前記カバー側係止部との係止状態が解除される側に変位させるボックス側変形部と、
弾性変形することにより前記カバー側係止部を前記ボックス側係止部との係止状態が解除される側に変位させるカバー側変形部と、
前記規定部によって規定された所定の方向のうち、前記カバー部材と前記ボックス構成体とを組み合わせる側へのそれらカバー部材及びボックス構成体の相対移動に基づき、前記ボックス側係止部及び前記カバー側係止部を係止状態へと移行させる案内部と
を備え、
前記ボックス側変形部及び前記カバー側変形部の弾性変形に基づいて、前記ボックス側係止部及び前記カバー側係止部の両者が共に係止状態の解除される側に変位することにより、それらボックス側係止部及びカバー側係止部の係止状態が解除されるように構成されており、
前記規定部によって規定された前記カバー部材と前記ボックス構成体との相対移動方向は、前記カバー側係止部における前記係止状態を解除する側への変位方向と、前記ボックス側係止部における前記係止状態を解除する側への変位方向との両方向に対して交差するように設定されていることを特徴とする遊技機。
【発明の詳細な説明】
【技術分野】
【０００１】
本発明は、遊技機に関するものである。
【背景技術】
【０００２】
遊技機の複数種として、パチンコ遊技機やスロットマシン等が知られている。これらの遊技機は、ＣＰＵや遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものがある。
【０００３】
この種の遊技機においては、不正な利益を得ることを目的として、制御基板内のＲＯＭ（ＣＰＵやＲＯＭが１チップ化されている場合は当該チップ）を交換し遊技内容を変更する等の制御基板に対する不正行為が数多く報告されており、従来より各種の不正対策が検討されている。
【０００４】
例えば、基板ボックスを構成する複数のボックス構成体を相互に固定するとともに、その固定箇所における固定状態の解除を不可又は困難なものとするための固定構造（いわゆる、カシメ構造）を持たせたものが知られている（例えば特許文献１参照）。当該固定構造は、その固定の解除に際して破壊を要するように構成されている。これにより、基板ボックスの開放時にはその破壊による開放履歴を残すことができ、不正に基板ボックスが開放された場合にはそれを発見することが可能となる。
【０００５】
上述した固定構造は、固定具とその固定具を受ける受け部材とを備えており、これら固定具と受け部材とが引っ掛かることによって、ボックス構成体同士の固定が実現される。受け部材は、ボックス構成体と別に設けられ、完成後のボックス構成体に対して設置される。このように受け部材の別体化を図ることにより、ボックス構成体を成型する金型の構造が過度に複雑化することが抑制されている。
【先行技術文献】
【特許文献】
【０００６】
【特許文献１】特開２００３−１８０９１７号公報
【発明の概要】
【発明が解決しようとする課題】
【０００７】
しかしながら、上述した固定構造（ボックス構成体と別体の受け部材）を備えることによって、金型の複雑化を抑制できる反面、受け部材自身への不正なアクセスや同受け部材の不正な取り外し等が行われやすくなることが懸念される。
【０００８】
また、仮に受け部材へのアクセスや同受け部材の取り外しを規制する構成とすれば、基板ボックスの組み上げ作業の複雑化を招来すると想定される。すなわち、基板ボックスのセキュリティ性を高めるほど、基板ボックスの組み上げ作業の複雑化はより顕著なものとなると考えられる。
【０００９】
本発明は、上記例示した事情等に鑑みてなされたものであり、基板ボックスを不正に開放させる行為を好適に抑制することを可能としつつ、当該基板ボックスの組み上げ作業を良好に行うことのできる遊技機を提供することを目的とするものである。
【課題を解決するための手段】
【００１０】
本発明は、
複数のボックス構成体が組み合わされることにより形成された基板ボックスと、
前記基板ボックスの内部空間に収容された制御基板と、
前記基板ボックスの内部空間が開放されないように前記複数のボックス構成体を離脱不可又は離脱困難な状態で相互に固定する固定手段と、
前記固定手段を構成する固定具と、
前記固定手段を構成し、前記ボックス構成体に設けられた設置部に対して設置され、前記固定具が固定される受け部材と、
前記ボックス構成体に対して当該ボックス構成体との間に前記受け部材を挟んだ状態で装着され、前記固定具の前記受け部材に対する装着を許容しつつ、前記受け部材の少なくとも一部を覆うカバー部材と、
前記カバー部材と前記ボックス構成体との組み合わせ作業時におけるそれらカバー部材及びボックス構成体の相対移動方向を所定の方向に規定する規定部と、
前記ボックス構成体からの前記カバー部材の取り外しを規制する規制手段と
を備え、
前記規制手段は、
前記ボックス構成体に設けられたボックス側係止部と、
前記カバー部材に設けられ、前記ボックス側係止部に係止されることにより前記ボックス構成体からの前記カバー部材の取り外しを規制するカバー側係止部と、
弾性変形することにより前記ボックス側係止部を前記カバー側係止部との係止状態が解除される側に変位させるボックス側変形部と、
弾性変形することにより前記カバー側係止部を前記ボックス側係止部との係止状態が解除される側に変位させるカバー側変形部と、
前記規定部によって規定された所定の方向のうち、前記カバー部材と前記ボックス構成体とを組み合わせる側へのそれらカバー部材及びボックス構成体の相対移動に基づき、前記ボックス側係止部及び前記カバー側係止部を係止状態へと移行させる案内部と
を備え、
前記ボックス側変形部及び前記カバー側変形部の弾性変形に基づいて、前記ボックス側係止部及び前記カバー側係止部の両者が共に係止状態の解除される側に変位することにより、それらボックス側係止部及びカバー側係止部の係止状態が解除されるように構成されており、
前記規定部によって規定された前記カバー部材と前記ボックス構成体との相対移動方向は、前記カバー側係止部における前記係止状態を解除する側への変位方向と、前記ボックス側係止部における前記係止状態を解除する側への変位方向との両方向に対して交差するように設定されていることを特徴とする。
【発明の効果】
【００１１】
本発明によれば、基板ボックスを不正に開放させる行為を好適に抑制することを可能としつつ、当該基板ボックスの組み上げ作業を良好に行うことができる。
【図面の簡単な説明】
【００１２】
【図１】一実施の形態におけるパチンコ機の構成を示す前方から見た斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】主制御装置の構成を示す斜視図。
【図８】主制御装置の構成を示す正面図。
【図９】主制御装置の構成を示す分解斜視図。
【図１０】（ａ）主制御装置の一部を拡大して示す側面図、（ｂ）図１０（ａ）のＡ―Ａ線断面図。
【図１１】（ａ）本パチンコ機における基板ボックスの規制箇所を示す断面図、（ｂ）比較対象の基板ボックスの規制箇所を示す断面図。
【図１２】（ａ）〜（ｃ）表側構成体と裏側構成体との組み付け作業を説明するための説明図。
【図１３】裏側結合領域の構成を示す断面図。
【図１４】受け部材の構成を示す斜視図。
【図１５】（ａ）カバー部材の構成を示す正面図、（ｂ）カバー部材の構成を示す斜視図。
【図１６】（ａ）図８のＢ−Ｂ線部分断面図、（ｂ）組み付け手順を説明するための説明図。
【図１７】（ａ）〜（ｄ）裏側結合領域を形成する上での作業を説明するための説明図。
【図１８】（ａ）第１表側結合部と裏側結合部との結合箇所を示す主制御装置の断面図、（ｂ）第２表側結合部と裏側結合部との結合箇所を示す主制御装置の断面図。
【図１９】図８のＣ−Ｃ線部分断面図。
【図２０】（ａ）〜（ｃ）表側結合部と裏側結合部とを結合状態とする場合の作業の流れを説明するための説明図。
【図２１】（ａ）〜（ｃ）表側構成体と裏側構成体との固定状態を解除する場合の作業の流れを説明するための説明図、（ｄ），（ｅ）表側構成体と裏側構成体とを再固定する場合の作業の流れを説明するための説明図。
【図２２】図８のＤ−Ｄ線部分断面図。
【図２３】（ａ）構成体側係止部の撓み変形が規制された状態を示す概略図、（ｂ）カバー側係止部の撓み変形が規制された状態を示す概略図、（ｃ）構成体側係止部及びカバー側係止部の両者の撓み変形が規制された状態を示す概略図。
【図２４】（ａ）〜（ｄ）カバー部材を装着する際の作業の流れを示す概略図。
【図２５】パチンコ機の電気的構成を示すブロック図。
【図２６】（ａ）構成体側係止部とカバー側係止部とを示す概略図、（ｂ）〜（ｄ）カバー部材の着脱方向から見た両係止部の引っ掛かり状態を示す説明図、（ｅ）カバー部材の着脱方向から見た両係止部の引っ掛かり解除状態を示す説明図。
【図２７】別の係止機構の構成を説明するための説明図。
【発明を実施するための形態】
【００１３】
はじめに、本実施の形態から抽出され得る発明を、必要に応じて効果等を示しつつ説明する。
【００１４】
手段１．複数のボックス構成体（例えば表側構成体１０１や裏側構成体１０２）が組み合わされることにより形成された基板ボックス（基板ボックス９２）と、
前記基板ボックスの内部空間に収容された制御基板（主制御基板９１）と、
前記基板ボックスの内部空間が開放されないように前記複数のボックス構成体を離脱不可又は離脱困難な状態で相互に固定する固定手段（例えば結合具１８１，１８３や受け部材１５３）と、
前記固定手段を構成する固定具（結合具１８１，１８３）と、
前記固定手段を構成するとともに、前記ボックス構成体に設けられた設置部（溝部１５５）に対して設置され、前記固定具が固定される受け部材（受け部材１５３）と、
前記ボックス構成体に対して当該ボックス構成体との間に前記受け部材を挟んだ状態で装着され、前記固定具の前記受け部材に対する装着を許容しつつ、前記受け部材の少なくとも一部を覆うカバー部材（カバー部材１５４）と、
前記カバー部材と前記ボックス構成体との組み合わせ作業時におけるそれらカバー部材及びボックス構成体の相対移動方向を所定の方向に規定する規定部（位置決め用突起１７７や凹み空間１６１等）と、
前記ボックス構成体からの前記カバー部材の取り外しを規制する規制手段（係止機構１９５）と
を備え、
前記規制手段は、
前記ボックス構成体に設けられたボックス側係止部（構成体側係止部１５８）と、
前記カバー部材に設けられ、前記ボックス側係止部に係止されることにより前記ボックス構成体からの前記カバー部材の取り外しを規制するカバー側係止部（カバー側係止部１９６）と、
弾性変形することにより前記ボックス側係止部を前記カバー側係止部との係止状態が解除される側に変位させるボックス側変形部（構成体側係止部１５８のアーム部１９７）と、
弾性変形することにより前記カバー側係止部を前記ボックス側係止部との係止状態が解除される側に変位させるカバー側変形部（カバー側係止部１９６の起立部１９９）と、
前記規定部によって規定された所定の方向のうち、前記カバー部材と前記ボックス構成体とを組み合わせる側へのそれらカバー部材及びボックス構成体の相対移動に基づき、前記ボックス側係止部及び前記カバー側係止部を係止状態へと移行させる案内部（ガイド部１５８ａ，１９９ａ）と
を備え、
前記ボックス側変形部及び前記カバー側変形部の弾性変形に基づいて、前記ボックス側係止部及び前記カバー側係止部の両者が共に係止状態の解除される側に変位することにより、それらボックス側係止部及びカバー側係止部の係止状態が解除されることを特徴とする遊技機。
【００１５】
手段１によれば、受け部材はボックス構成体に設けられた設置部に対して設置されており、その取り外しがカバー部材によって規制されている。ボックス構成体の形成に際して受け部材をインサート成形等する構成も考えられるが、この場合、受け部材の不正な取り外し等を困難なものとすることができる反面、金型の複雑化等を招くこととなり好ましくない。また、完成後のボックス構成体に対して別体で設けられた受け部材を嵌め込む構成とすれば、上述したインサート成形等を行う場合と比較して、金型の簡素化を図ることができる反面、受け部材の不正な取り外しが行われやすくなると懸念される。このように受け部材の取り外しが容易となれば、基板ボックスの不正な開放が行われやすくなったり、受け部材に細工等施すことにより基板ボックスの不正開放の痕跡を隠蔽されやすくなったりすると想定され、防犯性の観点から好ましくない。
【００１６】
この点、本手段に示すように受け部材をボックス構成体の設置部に対して設置するとともに、その受け部材の取り外しをカバー部材、詳しくはボックス構成体との間に受け部材を挟んだ状態で設けられ規制手段によって取り外しが規制されたカバー部材により妨げる構成とすれば、製造工程（金型）の複雑化を抑えつつ、受け部材の不正な取り外しを抑制することが可能となる。これにより、基板ボックスの形成を良好に行うことを可能としつつ、基板ボックスに対して行われる不正行為の抑制に貢献することができる。また、カバー部材に対して、受け部材の露出を抑える遮蔽機能を付与することが可能となり、受け部材に対する不正なアクセス（物理的な接触）を困難なものとすることができる。
【００１７】
但しカバー部材を有する構成とした場合、そのカバー部材の装着作業が必要となり、基板ボックスを組み上げる際の作業の煩雑化を招来することが懸念される。この点、本手段においては、カバー部材を装着する際に、規定部により規定された所定の方向へボックス構成体とカバー部材とを相対移動させることによりカバー側係止部とボックス側係止部とが変位し係止状態となる。これにより、ボックス構成体からのカバー部材の取り外しが規制される。故に、カバー部材の装着作業の煩雑化を抑えることができる。
【００１８】
また、ボックス側変形部及びカバー側変形部の弾性変形に基づいて、ボックス側係止部及びカバー側係止部が共に係止状態の解除される側に変位することにより、それら両係止部の係止状態が解除されるため、係止解除を困難なものとしやすい。これにより防犯性の向上を期待することができる。
【００１９】
手段２．前記ボックス側変形部及び前記カバー側変形部は予め定められた側への弾性変形が許容されるように形成されており、
前記ボックス側係止部における前記係止状態が解除される側への変位方向と、前記カバー側係止部における前記係止状態が解除される側への変位方向とが逆向きとなるように、それらボックス側変形部及びカバー側変形部が配されていることを特徴とする手段１に記載の遊技機。
【００２０】
手段１に示したように係止状態の解除に両係止部の変位を必要とする構成を用いた場合、係止部同士の掛かり代を大きくすることに伴って、両係止部の変位量を大きくする必要があると想定される。安定した係止状態を実現するには、掛かり代を大きくすることが望ましいが、それに起因して係止部の変位量が大きくなることは、規制手段の大型化ひいては基板ボックスの大型化を招来しやすくなり好ましくない。
【００２１】
この点、本手段に示すように、係止解除時の変位方向をそれぞれ逆向きとなるように各変形部を配すれば、両係止部が共に変位する構成を採用しても、それらの変位量の増大を抑えつつ、掛かり代の確保を容易なものとすることができる。これにより、組み付けばらつき等に起因して掛かり代が十分に確保されないといった不都合が発生することを抑制し、係止状態の安定化に貢献することができるとともに、規制手段の大型化を抑制することができる。
【００２２】
手段３．前記カバー側係止部と所定の間隔を隔てて配置され、前記カバー側係止部が前記係止状態の解除側に変位した際に同カバー側係止部に当接しその変位を妨げる第１ストッパ部（受け部材１５３の内側対向板部１６４）と、
前記ボックス側係止部と所定の間隔を隔てて配置され、前記ボックス側係止部が前記係止状態の解除側に変位した際に同ボックス側係止部に当接しその変位を妨げる第２ストッパ部（カバー部材１５４の第２カバー板部１７３）と
を備えていることを特徴とする手段１又は手段２に記載の遊技機。
【００２３】
手段３によれば、第１ストッパ部及び第２ストッパ部によって、係止部の変位が妨げられる。各ストッパ部によって各係止部の変位量を規定することができ、係止部が想定される以上に変位することを回避することができる。これにより、片方の係止部のみを変位させ、その変位量を大きくすることにより他方の係止部の変位量を賄うことを困難なものとし、係止状態の解除に対して、両係止部の変位を不可欠なものとすることができる。
【００２４】
すなわち係止状態を解除するには、カバー側係止部とボックス側係止部とをそれぞれ異なる方向へ変位させるとともにカバー部材とボックス構成体とを引き離す必要がある。例えば、一方の係止部を片方の手で操作し、他方の係止部を反対側の手で操作した状態にて、更にカバー部材とボックス構成体とを相対移動させる必要がある。このため、１人でカバー部材の取り外し作業を行うことは困難なものとなる。
【００２５】
以上詳述したように、カバー部材の取り付けを容易なものとしつつ、取り外しを困難なものとすることで、基板ボックス作成時の作業性の担保と防犯性の向上とを好適に両立することができる。
【００２６】
また、弾性変形域を越える変形（塑性変形）を回避することも可能となり、ボックス側変形部とカバー側変形部との保護を図ることができる。これにより、規制手段の機能、すなわちカバー部材の取り外しを規制する機能を好適に維持することが可能となる。
【００２７】
手段４．前記ボックス側係止部における前記係止状態の解除側への変位方向と、前記カバー側係止部における前記係止状態の解除側への変位方向とが逆向きに設定されており、
前記カバー側係止部と所定の間隔を隔てて配置され、前記カバー側係止部が前記係止状態の解除側に変位した際に同カバー側係止部に当接しその変位を妨げる第１ストッパ部（受け部材１５３の内側対向板部１６４）と、
前記ボックス側係止部と所定の間隔を隔てて配置され、前記ボックス側係止部が前記係止状態の解除側に変位した際に同ボックス側係止部に当接しその変位を妨げる第２ストッパ部（カバー部材１５４の第２カバー板部１７３）と
を備え、
前記第１ストッパ部及び第２ストッパ部は相互に対峙する壁状をなし、それら第１ストッパ部及び第２ストッパ部によって挟まれた領域に、前記カバー側係止部及び前記ボックス側係止部が配置されていることを特徴とする手段１に記載の遊技機。
【００２８】
手段４によれば、手段２及び手段３に示した効果に加え、以下の特別な効果を奏する。すなわち、ボックス側係止部及びカバー側係止部は、相互に対峙する壁状をなす第１ストッパ部及び第２ストッパ部によって挟まれた領域に配置されている。これにより、両ストッパ部によって各係止部へのアクセスを困難なものとすることができる。また、仮に係止部にアクセスされた場合であっても、それら両ストッパ部によって、係止部の不正な操作を行いにくくすることができる。故に、カバー部材の取り外しを一層困難なものとすることができる。
【００２９】
以上詳述したように、両ストッパ部に係止部へのアクセス及び操作を規制する規制機能を付与することにより、ストッパ部の多機能化に寄与することができる。
【００３０】
手段５．前記第１ストッパ部によって規定されている前記カバー側係止部の最大変位量（隙間寸法Ｘ１２）は、前記カバー側係止部と前記ボックス側係止部との掛かり代（掛かり代Ｘ１０）よりも小さく設定されているとともに、前記第２ストッパ部によって規定されている前記ボックス側係止部の最大変位量（隙間寸法Ｘ１４）は、前記カバー側係止部と前記ボックス側係止部との掛かり代よりも小さく設定されていることを特徴とする手段３又は手段４に記載の遊技機。
【００３１】
手段５によれば、カバー側係止部の最大変位量及びボックス側係止部の最大変位量は係止部同士の掛かり代よりも小さく設定されている。これにより、上述した手段４等に示す構成を好適に実現できる。具体的には、片方の係止部のみを変位させたとしても、両係止部の係止状態は解除されず、カバー部材の取り外し規制は維持される。すなわち、係止状態の解除には両係止部の変位を必須とすることができる。
【００３２】
なお、本手段に示す技術的思想（すなわち変位量と掛かり代との関係）を手段３に適用することも可能であるが、かかる場合、「前記カバー側係止部と前記ボックス側係止部との掛かり代」は、いずれの係止部を基準とするかによって相違することとなる。具体的には、カバー側係止部においては、カバー側係止部の変位方向におけるボックス側係止部との掛かり代を示し、ボックス側係止部においては、ボックス側係止部の変位方向におけるカバー側係止部との掛かり代を示す。
【００３３】
因みに、本手段を、「前記第１ストッパ部によって規定されている最大変位量となるように前記カバー側係止部が変位した場合であっても前記両係止部の係止状態が維持されるとともに、前記第２ストッパ部によって規定されている最大変位量となるように前記構成体側係止部が変位した場合であっても前記両係止部の係止状態が維持されるように前記両ストッパ部が形成されていることを特徴とする手段３又は手段４に記載の遊技機。」としてもよい。
【００３４】
手段６．前記第１ストッパ部は前記ボックス構成体側に設けられており、前記第２ストッパ部は前記カバー部材側に設けられていることを特徴とする手段４又は手段５に記載の遊技機。
【００３５】
手段６によれば、カバー側係止部はボックス構成体側に設けられた第１ストッパ部とボックス側係止部とによって挟まれており、ボックス側係止部はカバー部材側に設けられた第２ストッパ部とカバー側係止部とによって挟まれている。このため、仮にカバー部材とボックス構成体とが係止部の変位方向に向けて位置ずれした場合であっても、ボックス側係止部とカバー側係止部との係止状態が解除されやすくなるといった不都合を生じにくくすることができ、係止状態の安定化に貢献することが可能となる。
【００３６】
具体的には、仮に両係止部が近づく側にカバー部材が位置ずれした場合、両係止部が近づくため、掛かり代が減少することはない。一方、両係止部が離れる側にカバー部材が位置ずれした場合、両係止部の掛かり代はその位置ずれ量に応じて減少する。しかしながら、この位置ずれに基づいて、第１ストッパ部がボックス側係止部に近づき第１ストッパ部及びボックス側係止部間の隙間寸法（すなわち許容されるボックス側係止部の最大変位量）が減少し、カバー側係止部が第２ストッパ部に近づき第２ストッパ部及びカバー側係止部間の隙間寸法（すなわち許容されるカバー側係止部の最大変位量）も減少することとなる。すなわち、掛かり代の減少に伴って、各係止部の最大変位量も減少することとなる。故に、カバー部材が位置ずれしたとしても係止状態の解除が容易化されることは回避される。
【００３７】
なお、本手段に示す構成と逆の構成（第１ストッパ部がカバー部材側に設けられており、第２ストッパ部がボックス構成体側に設けられている構成）を採用すると、カバー部材の位置ずれに伴って、第１ストッパ部とカバー側係止部とがともに移動し、係止部同士の掛かりが位置ずれ量に依存して小さくなる。かかる場合、係止状態が容易に解除され得る。故に、望ましくは本手段に示す構成を採用するとよい。
【００３８】
また、「前記第１ストッパ部は前記ボックス構成体側に設けられ」とは、第１ストッパ部がボックス構成体に一体成形されている場合を示す他、ボックス構成体に対して別体で形成された第１ストッパ部がボックス構成体に装着されている場合を示す。
「前記第２ストッパ部は前記カバー部材側に設けられ」とは、第２ストッパ部がカバー部材に一体成形されている場合を示す他、カバー部材に対して別体で形成された第２ストッパ部がカバー部材に対して装着されている場合を示す。
【００３９】
手段７．前記ボックス側係止部は、前記ボックス構成体の外郭を形成する外壁部（裏側構成体１０２の外側溝壁部１５７）の一部を構成しているとともに、前記第２ストッパ部は、少なくとも前記外壁部における前記ボックス側係止部を含んだ所定の領域において当該外壁部に対峙しており、
前記外壁部における前記ボックス側係止部の周辺部位と前記第２ストッパ部との間隔寸法が、当該第２ストッパ部と前記ボックス側係止部との間隔寸法よりも小さいことを特徴とする手段６に記載の遊技機。
【００４０】
手段７によれば、仮に基板ボックスの外部から第２ストッパ部が押される等した場合であっても、第２ストッパ部は、ボックス側係止部と所定の隙間を維持した状態で、外壁部におけるボックス側係止部の周辺部位と当接する。これにより、第２ストッパ部に加わった外力が外壁部によって分散されボックス側係止部に対してその外力による影響が及ぶことを抑制することができる。
【００４１】
例えば、カバー部材を装着した状態において、ボックス側係止部の少なくとも両側にて、外壁部と第２ストッパ部とが当接するように外壁部及び第２ストッパ部を形成するとよい。
【００４２】
手段８．前記カバー部材と前記ボックス構成体を組み合わせることによって、前記規制手段を取り囲む空間部が形成されていることを特徴とする手段１乃至手段７のいずれか１つの手段に記載の遊技機。
【００４３】
手段８によれば、規制手段がカバー部材とボックス構成体とによって形成された空間部内に配置されているため、規制手段へのアクセスを困難なものとすることができる。これにより、更なる防犯性の向上に貢献できる。
【００４４】
手段９．前記固定手段は、それぞれ個別に両ボックス構成体を固定する第１固定手段（例えば第１表側結合部１４２及び第１結合具１８１）及び第２固定手段（例えば第２表側結合部１４３や第２結合具１８３）を有し、
前記カバー部材は前記第１固定手段及び前記第２固定手段に跨って設けられた部材であり、
前記規制手段は少なくとも前記第１固定手段と前記第２固定手段との間に配置されていることを特徴とする手段１乃至手段８のいずれか１つの手段に記載の遊技機。
【００４５】
手段９によれば、第１固定手段及び第２固定手段は受け部材との固定に寄与するものであるが、同固定手段の少なくともいずれかを用いた固定が行われることで、カバー部材の取り外しも規制されることとなる。すなわち、固定手段がカバー部材の固定にも寄与することとなり、カバー部材の不正な取り外しを好適に抑制できる。
【００４６】
また、カバー部材を複数設けるとすれば、カバー部材の増加に伴って個々のカバー部材に対応する規制手段を配置するためのスペースが必要となる。このような規制手段の増加は限られた設置領域における固定手段との共存を妨げるおそれがあり、望ましくない。この点、本手段に示すように、複数の固定手段に対して一の規制手段（一のカバー部材）を設置すれば、省スペース化に貢献でき実用上好ましい構成を実現できる。
【００４７】
手段１０．前記受け部材は、相互に対向する一対の対向板部（内側対向板部１６４及び外側対向板部１６５）とそれら対向板部を繋ぐ連結板部（連結板部１６６）とにより形成された一連の溝部（凹み空間１６１）を備えているとともに、当該溝部内において前記固定具を固定する固定部（係止片１６８）を少なくとも前記第１固定手段及び前記第２固定手段に対応させて備えており、更に前記受け部材に対する前記固定具の固定は前記溝部内において行われるものであり、
前記溝部内に、前記カバー側係止部と前記ボックス側係止部との係止部位（構成体側係止面１９８ａの一部とカバー側係止面２００ａ）が配置されていることを特徴とする手段９に記載の遊技機。
【００４８】
手段１０によれば、受け部材の溝部内に両係止部の係止部位が位置されている。このため、受け部材によって係止部同士の係止部位に対するアクセスを困難なものとすることができる。すなわち、カバー部材によって受け部材の不正な取り外しを抑制しつつ、受け部材によってカバー部材の取り外しを困難なものとすることができる。
【００４９】
手段１１．前記カバー部材には、前記固定具の前記溝部への進入を許容する開口部（貫通孔部１７４）を有するとともに、前記溝部の入口における前記開口部以外の領域を覆うカバー部（第１カバー板部１７２）が形成されていることを特徴とする手段１０に記載の遊技機。
【００５０】
手段１１によれば、溝部はカバー部材のカバー部によってその入口が覆われている。カバー部材自身（詳しくはカバー部）によって、溝部内に配置された係止部位の露出を抑えることができる。これにより、実用上好ましい構成を実現できる。
【００５１】
なお、開口部を介して固定具を挿入することが可能となっており、固定具及び受け部材によってボックス構成体同士を固定する機能は担保されている。
【００５２】
手段１２．前記カバー部材には、前記基板ボックスの内部空間に入り込むように設けられ、相互に固定された前記複数のボックス構成体により挟持される被挟持部（受け板部１８５）が形成されていることを特徴とする手段１乃至手段１１のいずれか１つの手段に記載の遊技機。
【００５３】
手段１２によれば、カバー部材は複数のボックス構成体により挟持される被挟持部を有している。このため、両構成体が組み合わされた後には、カバー部材をより安定した状態で保持することができる。このようにカバー部材の挟持を行うことで、カバー部材が引っ張られる等した場合であっても、規制手段に局所負荷が加わることを抑制することができる。
【００５４】
手段１３．前記規定部によって規定された前記カバー部材と前記ボックス構成体との相対移動方向は、前記カバー側係止部における前記係止状態を解除する側への変位方向と、前記ボックス側係止部における前記係止状態を解除する側への変位方向との両方向に対して交差するように設定されていることを特徴とする手段１乃至手段１２のいずれか１つの手段に記載の遊技機。
【００５５】
手段１乃至手段１２に示す構成において、カバー部材とボックス構成体とを分離させる際の相対移動方向が、いずれかの係止部の係止解除側への変位方向と同一となった場合、一の操作によって片方の係止部の変位とカバー部材の離脱方向への移動とが同時に実施可能となり得る。より具体的には、片方の手で一方の係止部を操作し、他方の手で他方の係止部を操作しつつカバー部材の取り外し操作を実施し得ると想定される。このように操作の統合が生じることは、カバー部材の取り外しを規制する観点から好ましくない。
【００５６】
この点、本手段によれば、カバー部材とボックス構成体との相対移動及び係止部の変位が個々に独立した方向となるように設定できるため、上述したような操作の統合を図ることは困難となり、カバー部材の取り外しを好適に規制できる。
【００５７】
手段１４．前記案内部は、前記規定部によって前記カバー部材と前記ボックス構成体との組み合わせ方向が規定されている全範囲のうち所定の範囲において、前記規定部によって規定された所定の方向への前記カバー部材と前記ボックス構成体との相対移動に基づきその所定の方向と交差し且つ相互に離れる側へ前記ボックス側変形部と前記カバー側変形部とを変形させる案内部であり、
前記ボックス構成体と前記カバー部材とをそれらボックス構成体及びカバー部材の組み合わせ側へ前記所定の範囲を超えて更に相対移動させた場合に、前記カバー側係止部と前記ボックス側係止部とは、前記案内部による案内状態から、前記ボックス側変形部と前記カバー側変形部とが自身の弾性力に基づき変形前の状態に復帰する側に変形することに伴って係止状態に移行されることを特徴とする手段１乃至手段１３のいずれか１つの手段に記載の遊技機。
【００５８】
手段１４によれば、カバー部材とボックス構成体とを組み合わせることにより、カバー部材の取り外しが規制された状態に移行される。具体的には、カバー部材とボックス構成体とを相対移動させることに基づき、案内部によって、両変形部が所定の方向と交差し且つ相互に離れる側へ弾性変形する。更に相対移動が行われると、案内部による案内が終了し、両変形部が自身の弾性力により変形前の状態に復帰する側に変形する。これにより、カバー側係止部とボックス側係止部とが係止状態となり、カバー部材とボックス構成との分離が規制される。
【００５９】
以上詳述したように、カバー部材とボックス構成体を組み合わせる際には、両者の相対移動によって係止状態への移行が可能であり、係止状態へ移行するための別途操作を必要としない。これにより、カバー部材の取り付け作業を容易なものとしつつ、同カバー部材の取り外しを困難なものとすることができる。
【００６０】
以下に、以上の各手段を適用し得る各種遊技機の基本構成を示す。
【００６１】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【００６２】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【００６３】
以下、遊技機の一種であるパチンコ遊技機（以下、「パチンコ機」という）の一実施の形態を、図面に基づいて詳細に説明する。図１はパチンコ機１０を前方から見た斜視図、図２はパチンコ機１０における遊技機本体１２の分解斜視図である。なお、図２では便宜上パチンコ機１０の遊技領域内の構成を省略している。
【００６４】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００６５】
外枠１１は、矩形枠状をなしており、上下の枠が木製であり、左右の枠がアルミニウム等の金属によって形成されている。パチンコ機１０は、外枠１１を島設備に取り付け固定することにより、遊技場に設置される。なお、外枠１１を形成する材料は上記のものに限定されることはなく任意である。
【００６６】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００６７】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００６８】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００６９】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００７０】
次に、遊技機本体１２の前面側の構成について説明する。図３は内枠１３の正面図である。
【００７１】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００７２】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００７３】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００７４】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００７５】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００７６】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００７７】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００７８】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００７９】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００８０】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００８１】
下側膨出部５８の右方には、手前側へ突出するようにしてハンドル装置５９が設けられている。ハンドル装置５９が操作されることにより、遊技球発射機構から遊技球が発射される。
【００８２】
次に、遊技機本体１２の背面側の構成について説明する。図５は内枠１３の背面図、図６は裏パックユニット１５の正面図である。
【００８３】
図５に示すように、内枠１３（遊技盤３３）の背面には、主制御装置ユニット６１及び音声ランプ制御装置ユニット６５が搭載されている。
【００８４】
主制御装置ユニット６１は、合成樹脂製の取付台を有し、取付台に主制御装置６３が搭載されている。主制御装置６３は、遊技の主たる制御を司る機能（主制御回路）と、電源を監視する機能（停電監視回路）とを有する主制御基板を具備している。なお、主制御装置６３の具体的な構成については、後に詳細に説明する。
【００８５】
音声ランプ制御装置ユニット６５は、音声ランプ制御装置６６と、取付台とを具備する構成となっており、取付台上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００８６】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００８７】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００８８】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００８９】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【００９０】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００９１】
次に、主制御装置６３の構成を図７〜図９に基づいて詳細に説明する。図７は主制御装置６３の斜視図、図８は主制御装置６３の正面図、図９は主制御装置６３の分解斜視図である。
【００９２】
主制御装置６３は、図９に示すように、主制御基板９１と基板ボックス９２とを備えており、当該基板ボックス９２の内部空間に主制御基板９１が収容されてなる。
【００９３】
主制御基板９１は、主たる制御を司るＣＰＵ、遊技プログラムを記憶したＲＯＭ、遊技の進行に応じた必要なデータを記憶するＲＡＭ等を備えている。本実施の形態では、ＣＰＵ、ＲＯＭ及びＲＡＭがＣＰＵチップ９３に１チップ化されている。また、詳細な説明は省略するが、入出力ドライバ用ＩＣチップ９４及びラッチ用ＩＣチップ９５が搭載されている。また、図示は省略するが、主制御基板９１には、コンデンサや抵抗などの各種素子や、複数のコネクタが搭載されている。
【００９４】
主制御基板９１においてＣＰＵチップ９３などの各種素子は全て同一の板面上に搭載されており、その逆側の板面にて半田付けされている。つまり、主制御基板９１は、一方の板面が素子搭載面９６となっており、他方の板面が半田面となっている。なお、半田面とは、素子搭載面９６に搭載される各種素子の半田付け部分が設けられる面であるが、当該半田面に対して回路パターンが形成されていてもよい。
【００９５】
基板ボックス９２は、複数のボックス構成体として、表側構成体（ボックスカバー）１０１と裏側構成体（ボックスベース）１０２とを備えている。これら表側構成体１０１及び裏側構成体１０２は、基板ボックス９２内に収容された主制御基板９１の素子搭載面９６及び半田面を基板ボックス９２外から視認可能なように透明性を有する材料により形成されている。具体的には、無色透明のポリカーボネート樹脂により形成されているが、形成材料はこれに限定されることなく、アクリル樹脂等であってもよい。
【００９６】
表側構成体１０１及び裏側構成体１０２が組み合わされることにより、図７及び図８に示すように、基板ボックス９２は四角箱状（略直方体形状）に形成されており、所定の内部空間を有している。詳細には、表側構成体１０１は、図９に示すように、当該表側構成体１０１の周縁を規定する表側周縁部１０３と、当該表側周縁部１０３から一方に膨出するようにして形成された膨出部１０４とが一体形成されてなる。これら表側周縁部１０３と膨出部１０４とにより、表側構成体１０１は膨出部１０４の膨出側とは反対側に開放された略直方体形状をなしている。
【００９７】
表側構成体１０１にはその背面側から主制御基板９１がネジ固定されている（着脱可能な状態で固定されている）。なお、表側構成体１０１への主制御基板９１のネジ固定は、主制御基板９１の半田面側から行われており、主制御基板９１の素子搭載面９６に搭載された各種素子は、主制御基板９１と表側構成体１０１との間の領域内に収容されている。
【００９８】
主制御基板９１が一体化された表側構成体１０１に対して、裏側構成体１０２が固定されている。裏側構成体１０２は、図９に示すように、正面視で四角形状、具体的には長方形状をなす略板状に形成されており、平面状に形成された平面部１０５と、当該平面部１０５の周縁を囲むようにして形成された裏側周縁部１０６とが一体形成されてなる。
【００９９】
表側構成体１０１に対してその裏面側から裏側構成体１０２を固定することにより、表側構成体１０１の表側周縁部１０３と裏側構成体１０２の裏側周縁部１０６とが重なり、膨出部１０４の裏面側への開放部分が裏側構成体１０２の平面部１０５により閉塞される。この場合、主制御基板９１の半田面は、裏側構成体１０２により覆われている。つまり、主制御基板９１の素子搭載面９６はその全体が表側構成体１０１と対向しており、主制御基板９１の半田面はその全体が裏側構成体１０２と対向している。上記構成の主制御装置６３は、図５に示すように、表側構成体１０１の表面がパチンコ機１０後方を向くようにして搭載されている。
【０１００】
次に、表側構成体１０１と裏側構成体１０２との固定に関する構成について詳細に説明する。両構成体１０１，１０２の固定に関する構成としては、両構成体１０１，１０２の相互の位置ずれを特定の規制方向のみに規制する規制手段と、当該規制方向への位置ずれを防止するように両構成体１０１，１０２を相互に固定する固定手段と、を備えている。
【０１０１】
先ず、規制手段について詳細に説明する。なお、以下の規制手段の説明では、図９だけでなく図１０も適宜参照する。図１０（ａ）は主制御装置６３の一部を拡大して示す側面図、図１０（ｂ）は図１０（ａ）のＡ―Ａ線断面図である。
【０１０２】
図９に示すように、規制手段として、表側構成体１０１には、フック部（係止部又は表側規制部）１１１が一体形成されている。フック部１１１は複数設けられており、これらフック部１１１は表側周縁部１０３の対向する各長辺部（具体的には、上縁部及び下縁部）において当該長辺部の延びる方向に沿って等間隔で形成されている。この場合、フック部１１１は、上下にそれぞれ６個ずつ形成されているが、複数であればその数は任意である。各フック部１１１は、全て同一形状となるように形成されているとともに、全て同一のサイズに形成されている。
【０１０３】
フック部１１１の形状について詳細に説明する。表側構成体１０１の表側周縁部１０３は、当該表側周縁部１０３に沿って矩形枠状に形成された枠部１１２を備えている。枠部１１２は表側周縁部１０３において膨出部１０４に連続するベース部１１０から裏側構成体１０２側に起立させて形成されている。この場合、枠部１１２におけるベース部１１０からの突出寸法（高さ寸法）は、主制御基板９１の厚み寸法と同一となっている。なお、枠部１１２におけるベース部１１０からの突出寸法を、主制御基板９１の厚み寸法よりも大きくしてもよい。
【０１０４】
枠部１１２において一の長辺部を構成する上枠部（一の枠部）１１３に複数のフック部１１１が形成されているとともに、当該上枠部１１３と対向した位置にて一の長辺部を構成する下枠部（他の枠部）１１４にも複数のフック部１１１が形成されている。この場合、各フック部１１１の内側の面は形成元の枠部１１２における内側の面と同一平面上に位置しているとともに、各フック部１１１の外側の面は形成元の枠部１１２における外側の面と同一平面上に位置している。
【０１０５】
フック部１１１は枠部１１２を基端として形成されており、自由端側が表側構成体１０１の一方の短辺部側、具体的には、右縁に向けて延びるように途中位置で折り曲げて形成されている。つまり、フック部１１１は枠部１１２から裏側構成体１０２に向けて起立した起立部１１５と、起立部１１５から表側構成体１０１の側縁に向けて延びる延出部１１６とが一体形成されてなる。
【０１０６】
延出部１１６は起立部１１５の高さ寸法分、枠部１１２から離間されており、延出部１１６と枠部１１２との間には係止用溝１１７が形成されている。当該係止用溝１１７は延出部１１６に沿って形成されており、延出部１１６の自由端側において開放されている。
【０１０７】
フック部１１１に対応させて裏側構成体１０２には、係止受け（裏側規制部）１２１が一体形成されている。係止受け１２１の形状について詳細に説明する。裏側構成体１０２の裏側周縁部１０６には、表側構成体１０１の上枠部１１３と対応する辺部に当該辺部の全体に沿って一連の上側周壁部１２２が一体形成されているとともに、表側構成体１０１の下枠部１１４と対応する辺部に当該辺部の全体に沿って一連の下側周壁部１２３が一体形成されている。これら上側周壁部１２２及び下側周壁部１２３は表側構成体１０１に向けて起立している。上側周壁部１２２及び下側周壁部１２３はそれぞれ、裏側構成体１０２の周面（上面及び下面）を構成しているとともに、基板ボックス９２の周面（上面及び下面）を構成している。
【０１０８】
裏側周縁部１０６には、上側周壁部１２２及び下側周壁部１２３にそれぞれ一体形成された上側台座部１２４及び下側台座部１２５を備えている。ここで、上側台座部１２４及び下側台座部１２５は共に同一の構成を有しており、さらに規制手段について基板ボックス９２の上側と下側とで基本的に構成は同一となっているため、下側の構成を例にとって以下説明する。
【０１０９】
下側台座部１２５は、図９に示すように、下側周壁部１２３の内側の壁面から裏側構成体１０２の平面部１０５側に突出させて形成されており、下側周壁部１２３及び平面部１０５の両方に対して一体化されている。下側台座部１２５は下側周壁部１２３の長さ方向（長手方向）の全体又は略全体に亘って形成されている。
【０１１０】
下側台座部１２５は、表側構成体１０１に向けて起立している。但し、その高さ寸法（基板ボックス９２の厚み方向の寸法）は、下側周壁部１２３の高さ寸法よりも小さく設定されている。この点、裏側構成体１０２は、その長辺側の縁部において下側周壁部１２３と下側台座部１２５とにより段差状となっていると言える。
【０１１１】
下側台座部１２５には、フック部１１１と１対１で対応させて係止受け１２１が形成されている。つまり、係止受け１２１は、上下にそれぞれ６個ずつ形成されている。但し、フック部１１１と１対１で対応しているのであれば、その具体的な数は任意である。各係止受け１２１は全て同一の形状及び大きさを有している。
【０１１２】
係止受け１２１は、下側台座部１２５をその高さ方向、すなわち裏側構成体１０２の厚み方向に貫通するスリットとして構成されている。詳細には、係止受け１２１は、裏側構成体１０２において上記のとおり周面を構成する下側周壁部１２３と、下側台座部１２５において平面部１０５との境界部分を構成する内側壁部１２６と、これら下側周壁部１２３及び内側壁部１２６を連結するようにして形成された連結壁部１２７とにより周囲が規定されており、裏側構成体１０２の厚み方向（基板ボックス９２の厚み方向）に貫通している。
【０１１３】
ちなみに、連結壁部１２７は、隣り合う係止受け１２１を区画する機能も有しているとともに、下側台座部１２５において表側構成体１０１（表側構成体１０１の枠部１１２）と対向する対向面を構成している。また、内側壁部１２６は係止受け１２１側からの基板ボックス９２内への侵入経路を遮断するように形成されているとともに、内側壁部１２６は基板ボックス９２の内部空間の周面を構成している。
【０１１４】
係止受け１２１の幅寸法、すなわち下側周壁部１２３と内側壁部１２６との間の距離は、フック部１１１の厚み寸法と同一又はそれよりも若干大きく設定されている。また、係止受け１２１の長さ寸法、すなわち対向する連結壁部１２７間の距離は、延出部１１６の長さ寸法よりも大きく設定されている。
【０１１５】
係止受け１２１は、図１０（ａ）に示すように、一方の連結壁部１２７側において、スリット状の当該係止受け１２１を閉塞する受け部１２８を備えている。この受け部１２８が形成された側の連結壁部１２７は、一の係止受け１２１における両連結壁部１２７のうち、フック部１１１の自由端側に対応した側となっている。
【０１１６】
受け部１２８は、係止受け１２１において表側構成体１０１側の端部に形成されている。また、受け部１２８は、スリット状の係止受け１２１の全体を閉塞しているのではなく、一部のみを閉塞している。そして、係止受け１２１において受け部１２８が形成されていない側の連結壁部１２７から受け部１２８までの距離は、フック部１１１の延出部１１６が延びる方向の長さ寸法よりも大きくなっている。これにより、上記のように受け部１２８が形成された構成において、裏側構成体１０２の表側からフック部１１１を係止受け１２１内に挿入可能となっている。受け部１２８は、上記フック部１１１の係止用溝１１７内に入り込み可能な厚み寸法に設定されている。
【０１１７】
なお、係止受け１２１は、受け部１２８とは逆側の連結壁部１２７側において、スリット状の当該係止受け１２１を閉塞する閉塞部１２９を備えている。但し、閉塞部１２９は係止受け１２１において受け部１２８が形成された側とは反対側の端部に形成されている。また、閉塞部１２９は、スリット状の係止受け１２１の全体を閉塞しているのではなく、一部のみを閉塞している。
【０１１８】
表側構成体１０１と裏側構成体１０２とが一体化された状態では、図１０（ａ）及び図１０（ｂ）に示すように、係止受け１２１内にフック部１１１が挿入されおてり、図１０（ａ）に示すように、フック部１１１の係止用溝１１７内に係止受け１２１の受け部１２８が入り込んでいる。そして、受け部１２８は、枠部１１２に当接しているとともに、フック部１１１の延出部１１６に当接している。
【０１１９】
この場合、表側構成体１０１と裏側構成体１０２とを、係止用溝１１７に対する受け部１２８の入り込み方向に移動させて分離させようとしても、表側構成体１０１の起立部１１５に受け部１２８が当接することで規制される。また、表側構成体１０１と裏側構成体１０２とを基板ボックス９２の厚み方向に分離させようとしても、フック部１１１と受け部１２８との当接により規制される。また、図１０（ｂ）に示すように、フック部１１１は係止受け１２１を構成する下側周壁部１２３及び内側壁部１２６の両方に挟まれた状態となっている。したがって、表側構成体１０１と裏側構成体１０２とを上下方向に移動させて分離させようとしても、フック部１１１が下側周壁部１２３又は内側壁部１２６のいずれかに当接することで規制される。つまり、フック部１１１及び係止受け１２１により、表側構成体１０１と裏側構成体とを分離させる際の方向が、係止用溝１１７から受け部１２８を抜き取る方向、すなわち基板ボックス９２の一方の短辺側に規制されている。
【０１２０】
特に、フック部１１１と係止受け１２１との組み合わせは、基板ボックス９２の両長辺部においてそれぞれ複数組設けられており、さらにはこれらの組み合わせは、各長辺部においてその長さ方向の略全体に亘って分散させた位置にて行われている。したがって、上記規制は強固に行われている。
【０１２１】
図１０（ｂ）に示すように、係止受け１２１内にフック部１１１が挿入され、且つ係止用溝１１７内に受け部１２８が入り込んだ規制状態では、表側構成体１０１の下枠部１１４が裏側構成体１０２の下側台座部１２５と基板ボックス９２の厚み方向に重なり合っている。この場合、下側台座部１２５の全体に亘って下枠部１１４が重なり合っており、これら下側台座部１２５と下枠部１１４とにより基板ボックス９２の長辺部において当該基板ボックス９２の内部空間の周面の一部が構成されている。
【０１２２】
下枠部１１４は、上記のとおり表側周縁部１０３のベース部１１０から裏側構成体１０２側に起立させて設けられている。また、下側台座部１２５は上記のとおりスリット状の係止受け１２１を構成する部位であり、それに伴って下枠部１１４よりも肉厚に形成されている。さらには、下枠部１１４は、下側台座部１２５上において下側周壁部１２３と接するように当該下側周壁部１２３側に偏倚した位置に配置されている。したがって、図１０（ｂ）に示すように、下枠部１１４へと続くベース部１１０と下側台座部１２５との間には所定の隙間が形成されており、当該隙間には主制御基板９１の周縁部の一部が入り込んでいる。
【０１２３】
裏側構成体１０２の下側周壁部１２３は、上記のとおり下側台座部１２５よりも表側構成体１０１側に突出しており、当該突出した部位が下枠部１１４の外側の側面に対して外方から重なり合っている。また、下側周壁部１２３はその起立した先端側の端面が表側周縁部１０３におけるベース部１１０の表面と面一となっている。つまり、下側周壁部１２３は表側周縁部１０３における一長辺部の外側周面の全体と重なり合っている。当該構成であることにより、表側構成体１０１と裏側構成体１０２との長辺部における境界は、図８に示すように、線状となっている。
【０１２４】
また、当該境界は、図１０（ｂ）に示すように、表側周縁部１０３のベース部１１０よりも外側にある。当該境界を通じて基板ボックス９２の内部空間にリード線などの不正用治具を挿入しようとしても、上記のとおり下枠部１１４と下側台座部１２５とがその全体に亘って重なり合っているため、それが阻止される。さらには、上記のとおりフック部１１１と係止受け１２１とによる規制は強固に行われているため、下枠部１１４と下側台座部１２５とを離間させようとしてもそれが強固に阻止される。
【０１２５】
ここで、上記のようにフック部１１１と係止受け１２１とが設けられていることにより、基板ボックス９２の小型化を図りながら、表側構成体１０１と裏側構成体１０２との分離方向の規制が強固に行われている。当該構成について、図１１を用いて、基板ボックス９２の体格が大きくなってしまう構成と比較しながら説明する。図１１（ａ）は本パチンコ機１０における基板ボックス９２の規制箇所を示す断面図であり、図１１（ｂ）は比較対象の基板ボックス１３１の規制箇所を示す断面図である。
【０１２６】
本パチンコ機１０の基板ボックス９２では上記のとおりフック部１１１と係止受け１２１とが設けられていることにより、図１１（ａ）に示すように、基板ボックス９２の内部空間の縁部から基板ボックス９２の周面までの距離はＸ１となっている。
【０１２７】
これに対して、比較対象の基板ボックス１３１では、図１１（ｂ）に示すように、フック部１３２と係止受け１３３とが、上記基板ボックス９２とは逆の関係で、表側構成体１３４及び裏側構成体１３５に形成されている。つまり、裏側構成体１３５にフック部１３２が形成されており、表側構成体１３４に係止受け１３３が形成されている。また、上記基板ボックス９２ではフック部１１１が設けられた表側構成体１０１の縁部において基板ボックス９２における内部空間の周面の一部を構成していたが、本基板ボックス１３１ではフック部１３２が設けられた裏側構成体１３５の縁部は内部空間の周面の一部を構成していない。したがって、基板ボックス１３１の内部空間の縁部から基板ボックス１３１の周面までの距離はＸ２となっており、上記基板ボックス９２における対応箇所の距離Ｘ１よりもＸ３だけ長くなっている。
【０１２８】
以上より、本パチンコ機１０における基板ボックス９２によれば、基板ボックス９２の小型化を図りながら、表側構成体１０１と裏側構成体１０２との分離方向の規制が強固に行われている。パチンコ機１０では、図柄表示装置４１の表示画面の大型化やパチンコ機１０の多機能化を行うことが好ましい。しかしながら、表示画面の大型化やパチンコ機１０の多機能化を図ろうとすると、パチンコ機１０の背面側において電気機器を搭載するスペースに制限が生じてしまう。これに対して、上記のとおり基板ボックス９２の小型化を図ることで、表示画面の大型化やパチンコ機１０の多機能化を良好に実現することができる。
【０１２９】
次に、上記規制手段による表側構成体１０１と裏側構成体１０２との組み付け作業について図１２を用いて説明する。図１２（ａ）〜（ｃ）は表側構成体１０１と裏側構成体１０２との組み付け作業を説明するための説明図である。
【０１３０】
表側構成体１０１と裏側構成体１０２とを相互に固定する場合、図１２（ａ）の状態から図１２（ｂ）の状態となるように、先ず裏側構成体１０２の裏側からフック部１１１を係止受け１２１内に挿入する。この場合、フック部１１１の自由端が、挿入された係止受け１２１内の受け部１２８側を向いている。また、この状態では、表側構成体１０１と裏側構成体１０２とは完全に重なり合っておらず、左右方向にずれた状態となっている。
【０１３１】
その後、表側構成体１０１又は裏側構成体１０２の少なくとも一方を、両構成体１０１，１０２が完全に重なり合う方向にスライド移動させることにより、図１２（ｃ）に示すように、フック部１１１の係止用溝１１７内に係止受け１２１の受け部１２８が入り込む。これにより、係止用溝１１７に対する受け部１２８の抜け方向にのみ移動可能なように表側構成体１０１及び裏側構成体１０２の移動方向が規制される。そして、当該状態において固定手段による固定を行うことで、規制手段により規制された移動方向への移動も行うことが不可となり、表側構成体１０１及び裏側構成体１０２が相互に固定される。
【０１３２】
次に、固定手段について説明する。
【０１３３】
図８及び図９に示すように、表側構成体１０１における一方の短辺部には、表側結合領域１４１が一体形成されている。表側結合領域１４１は、当該短辺部において膨出部１０４から側方に延出させて形成されている。表側結合領域１４１には複数（具体的には、４個）の表側結合部１４２，１４３が設けられており、各表側結合部１４２，１４３には基板ボックス９２の厚み方向に貫通する貫通孔部１４４が形成されている。なお、本実施の形態においては、主制御装置６３を製造する際に使用される表側結合部と、主制御装置６３を開放した後、両構成体１０１，１０２を再ボックス化する場合に使用される表側結合部との２種類の異なる表側結合部を備えている。以下、説明の便宜上、前者を「第１表側結合部１４２」と称し、後者を「第２表側結合部１４３」と称することとする。
【０１３４】
各表側結合部１４２，１４３は、前記短辺部に沿って並設されている。より具体的には、短辺部に沿い離間して配置された２つの第１表側結合部１４２の間に、２つの第２表側結合部１４３が配置されている。また、各第１表側結合部１４２は第１連結部１４５を介して膨出部１０４と連結されているとともに、第２連結部１４６を介して隣り合う第２表側結合部１４３と連結されている。この場合、各連結部１４５，１４６の周囲には、ニッパやカッタ等の工具を差込可能な空間が確保されており、第１表側結合部１４２を破壊するよりも上記工具により切断し易くなっている。なお、上述した第２連結部１４６を省略することも可能である。因みに、第１表側結合部１４２及び第２表側結合部１４３の相違点についての詳細は後述する。
【０１３５】
表側結合領域１４１に対応させて、裏側構成体１０２の裏側周縁部１０６には裏側結合領域１５１が設けられている（図１３等参照）。ここで、本基板ボックス９２では、裏側結合領域１５１が特徴的な構成となっている。そこで以下に、裏側結合領域１５１の特徴的な構成を重点的に説明しつつ、上記結合に関する構成を説明する。
【０１３６】
先ず、裏側結合領域１５１の構成を、図９に加え図１３〜図１５を用いて説明する。図１３は裏側結合領域１５１の断面図、図１４は裏側結合領域１５１を構成する受け部材１５３の一部破断領域を含む斜視図、図１５（ａ）は裏側結合領域１５１を構成するカバー部材１５４の正面図、図１５（ｂ）はカバー部材１５４を裏側から見た斜視図である。
【０１３７】
裏側結合領域１５１は、図９及び図１３に示すように、裏側構成体１０２の裏側周縁部１０６に一体形成された結合領域形成部１５２と、当該結合領域形成部１５２に組み付けられる受け部材（受け金具）１５３及びカバー部材１５４と、を備えている。
【０１３８】
結合領域形成部１５２は、裏側構成体１０２の裏側周縁部１０６における一方の短辺部において、全体又は略全体に亘って形成されている。結合領域形成部１５２には、図１３に示すように、表側構成体１０１側に向けて開放された溝部１５５が形成されている。溝部１５５は、結合領域形成部１５２の全体に亘って形成されている。
【０１３９】
結合領域形成部１５２には、溝部１５５内に挿入された状態で受け部材１５３が固定されている。受け部材１５３は、少なくとも裏側構成体１０２の壁部よりも高強度な（硬質な）金属板を図１４に示すように、複数箇所で折り曲げることにより形成されており、結合領域形成部１５２の溝部１５５と同一又は略同一の長さ寸法を有している。なお、受け部材１５３を、金属板を折り曲げることにより形成するのではなく、複数の金属板を溶接することにより形成してもよい。
【０１４０】
受け部材１５３は、溝部１５５の周面に沿うようにして凹み空間１６１を有するように形成された受けベース部１６２と、当該受けベース部１６２に対して一体形成された引っ掛け板部１６３と、を備えている。この場合、受けベース部１６２は相互に対向する対向板部１６４，１６５と、これら対向板部１６４，１６５を一端において連結する連結板部１６６と、を備えており、これら各板部１６４，１６５，１６６により、凹み空間１６１が形成されている。また、引っ掛け板部１６３も板状であり、一部の板部は内側の対向板部１６４と対向している。
【０１４１】
受け部材１５３は、受けベース部１６２の外周面が溝部１５５の内周面と重なるように、結合領域形成部１５２に設置されている。この場合、引っ掛け板部１６３は、結合領域形成部１５２において溝部１５５を形成する壁部のうち内側溝壁部１５６に引っ掛けられた状態となっている。また、図９及び図１４に示すように、受けベース部１６２の対向板部１６４，１６５のうち、外側の対向板部１６５（以下、外側対向板部１６５と称する）には係止用凹部１６７が複数箇所に形成されており、これに対応させて、図９に示すように、結合領域形成部１５２において溝部１５５を区画する壁部のうち外側溝壁部１５７には、係止部１５８が一体形成されている。係止部１５８は係止用凹部１６７に１対１で対応させて複数箇所に形成されている。
【０１４２】
受け部材１５３を結合領域形成部１５２に設置した状態では、係止用凹部１６７が係止部１５８により係止され、結合領域形成部１５２に対して受け部材１５３が固定されている。受け部材１５３が結合領域形成部１５２に固定された状態においては、受けベース部１６２における凹み空間１６１は表側構成体１０１に向けて開放されており、受けベース部１６２は溝部１５５内の略全体に亘って位置している。
【０１４３】
つまり、図８に示すように、受け部材１５３は基板ボックス９２における一の短辺部の略全体に亘って位置している。換言すれば、受け部材１５３は基板ボックス９２の複数の周面部のうち少なくとも所定の周面部におけるコーナー部分間の全体又は略全体に亘って位置するように設けられている。さらに換言すれば、基板ボックス９２は正面視で多角形状（四角形状）に形成されており、受け部材１５３は所定の一辺部の当該辺部が延びる方向の全体又は略全体に亘って位置するように設けられている。
【０１４４】
受け部材１５３の対向板部１６４，１６５のうち、内側の対向板部１６４（以下、内側対向板部１６４と称する）には、図１３に示すように、凹み空間１６１側に突出するように係止片１６８が設けられている。係止片１６８は、図１４の破断部分に示すように、内側対向板部１６４を切除しない範囲で切断を行い、切断によって板バネ状となった箇所を凹み空間１６１側に曲げることにより形成されている。この場合、係止片１６８の自由端は、受けベース部１６２の連結板部１６６側、すなわち凹み空間１６１の奥側を向いている。係止片１６８は、等間隔で複数形成されており、この数は表側結合領域１４１に形成された表側結合部１４２，１４３の数と同数となっているとともに、表側結合部１４２，１４３の位置に対応させて形成されている。
【０１４５】
上記のように受け部材１５３が固定された結合領域形成部１５２に対してカバー部材１５４が設置されている。カバー部材１５４は、無色透明のポリカーボネート樹脂により形成されているが、形成材料はこれに限定されることはなく、アクリル樹脂等であってもよい。カバー部材１５４は、結合領域形成部１５２と同一又は略同一の長さ寸法を有しており、結合領域形成部１５２及び受け部材１５３の全体又は略全体を覆う機能を有しているとともに、受け部材１５３が固定された結合領域形成部１５２を表側結合部１４２，１４３と同数の裏側結合部１７６に区画するための機能を有している。
【０１４６】
具体的には、カバー部材１５４は、図１３に示すように、第１カバー板部１７２と、当該第１カバー板部１７２に対して直交する第２カバー板部１７３と、を有するカバーベース部１７１を備えている。カバー部材１５４を結合領域形成部１５２に設置した場合には、第１カバー板部１７２は結合領域形成部１５２の対向する溝壁部１５６，１５７及び結合領域形成部１５２に固定された受け部材１５３に対して、受け部材１５３の凹み空間１６１の開放側から重なり合っており、第２カバー板部１７３は結合領域形成部１５２における外側溝壁部１５７の外側周面の全体に対して外方から重なり合っている。
【０１４７】
第１カバー板部１７２には、図１５（ａ）に示すように、その長さ方向に等間隔で複数の貫通孔部１７４が形成されている。当該貫通孔部１７４が形成されていることにより、受け部材１５３の凹み空間１６１は第１カバー部材１５４により完全に閉塞されておらず、貫通孔部１７４の位置にて表側構成体１０１側に向けて開放されている。
【０１４８】
貫通孔部１７４は、受け部材１５３の係止片１６８と１対１で対応しており、図１３に示すように、一の貫通孔部１７４と基板ボックス９２の厚み方向に並ぶ位置に一の係止片１６８が位置している。また、貫通孔部１７４は、表側結合部１４２，１４３と１対１で対応している。
【０１４９】
第１カバー板部１７２の表面側には、図１５（ａ），（ｂ）に示すように、当該第１カバー板部１７２の表面側において各貫通孔部１７４が形成された領域を個別に区画するようにして区画壁部１７５が一体形成されている。そして、区画壁部１７５により区画された各領域によって裏側結合部１７６が構成されている。各裏側結合部１７６は、表側構成体１０１に向けて開放されているとともに、裏側構成体１０２において裏側結合領域１５１が形成された側の短辺部と対向する短辺部に向けて開放されている。各裏側結合部１７６は対応する表側結合部１４２，１４３を収容可能な大きさを有しており、各裏側結合部１７６に対応する各表側結合部１４２，１４３が収容された状態では、各表側結合部１４２，１４３の貫通孔部１４４と各裏側結合部１７６の貫通孔部１７４とが連通された状態となる。
【０１５０】
なお、図１５（ｂ）に示すように、第１カバー板部１７２の裏面側には、複数箇所に位置決め用突起１７７が設けられている。これら位置決め用突起１７７は、第１カバー板部１７２から起立する板状をなしており、その板厚寸法が受け部材１５３の両対向板部１６４，１６５の間隔寸法と同等となるように形成されている。カバー部材１５４を設置する場合にはこれら位置決め用突起１７７が受け部材１５３の凹み空間１６１内に入り込むようにすることにより、装着方向が規定され、設置箇所の位置決めを容易に行うことができる。また、当該突起１７７が受け部材１５３の凹み空間１６１内に入り込むことで、カバー部材１５４をその設置箇所から離脱させる際の離脱方向が規定される。換言すれば、凹み空間１６１が開放されている方向、すなわち裏側構成体１０２から表側構成体１０１に向けた方向に規定される。
【０１５１】
ここで、カバー部材１５４の取り外し規制に関する構成について、図９，図１４，図１５に加え図１６（ａ）を用いて説明する。図１６（ａ）は図８のＢ−Ｂ線部分断面図である。
【０１５２】
図９等に示すように、第１カバー板部１７２の中央には、その第１カバー板部１７２から表側構成体１０１側に起立する円筒部１７８が一体成形されている。第１カバー板部１７２には、円筒部１７８の孔部１７８ａに連通し、当該円筒部１７８の軸線方向と同一方向に延びる丸孔１７９が形成されている。より詳しくは、孔部１７８ａと丸孔１７９とは段差状に連続しており、その孔径は丸孔１７９において減縮されている。
【０１５３】
また、図９及び図１４に示すように受け部材１５３には丸孔１７９と連通する連通孔１６９が形成されており、これら孔部１７８ａと丸孔１７９と連通孔１６９とには表側構成体１０１側から破断ネジ１７０が挿通されている。裏側構成体１０２には、この破断ネジ１７０がねじ込まれる取付穴部１５９が形成されており、その取付穴部１５９に対して破断ネジ１７０が螺着されることによって、裏側構成体１０２と受け部材１５３とカバー部材１５４とが一体化されている。
【０１５４】
なお、破断ネジ１７０とは、装着作業と取り外し作業とを比較した場合、後者の方が困難となるものであり、一旦装着された後には、固定対象及び自身の少なくともいずれかの破壊を伴うことなくその取り外しが不可とされるものである。より具体的に説明すれば、ドライバなどの工具の先端を差込可能な頭部１７０ａと、ネジ溝が形成された側との連結部分１７０ｂの強度が低く設定されたものであり、それ以上締めることができない位置において頭部１７０ａに対して上記工具によりさらに所定の力を加えることにより、上記連結部分１７０ｂが切断され、頭部１７０ａが分離されるものである。つまり、破断ネジ１７０は、螺着後において、上記工具を用いて緩める方向へ回転させることを不可とするものである。なお、裏側構成体１０２に螺着されている破断ネジ１７０は螺着後においてその頭部１７０ａが分離されている。
【０１５５】
因みに、螺着後において裏側構成体１０２とカバー部材１５４との結合を緩めることができないようにすることができるのであれば、裏側構成体１０２とカバー部材１５４とを結合する固定具は破断ネジ１７０に限定されることはなく周知のワンウェイネジであってもよい。
【０１５６】
図１６に示すように、破断ネジ１７０の連結部分１７０ｂは、円筒部１７８の孔部１７８ａ内に収容されている。すなわち、連結部分１７０ｂは円筒部１７８によって囲われた状態となっている。このように連結部分１７０ｂを囲う機能に着目すれば円筒部１７８を「囲い部」と称することも可能であり、連結部分１７０ｂをその内部に収容する機能に着目すれば「収容部」と称することも可能である。
【０１５７】
ここで、破断ネジ１７０と円筒部１７８との関係について詳細に説明する。円筒部１７８の起立量Ｘ５は、第１カバー板部１７２からの破断ネジ１７０（詳しくは連結部分１７０ｂ）の突出量Ｘ６よりも大きく設定されており、当該円筒部１７８によって、破断ネジ１７０が主制御装置６３の側方へ露出することを回避している。
【０１５８】
また、両構成体１０１，１０２が相互に組み合わせられた状態においては、丸孔１７９の中心軸線上に表側構成体１０１が位置している。この表側構成体１０１によって、破断ネジ１７０へのアクセスが妨げられている。具体的には、図１６に示すように、表側構成体１０１の表側結合領域１４１には、円筒部１７８の開放部分を塞ぐ遮蔽部１８０が一体成形されている。遮蔽部１８０は、円筒部１７８にほぼ接した（近接した）状態となっており、前記円筒部１７８とともに、前記破断ネジ１７０の連結部分１７０ｂを収容する閉空間を区画形成している。遮蔽部１８０は、基板ボックス９２の長手方向、すなわち前記規制手段による規制方向と反対側に延びる板状をなしており、両構成体１０１，１０２が組み合わされる際の円筒部１７８との引っ掛かりが回避されている。なお、遮蔽部１８０と円筒部１７８とが接する（当接する）構成とすることも可能である。
【０１５９】
更には、円筒部１７８の起立量Ｘ５は、破断ネジ１７０の頭部１７０ａが残存している状態における当該破断ネジ１７０の第１カバー板部１７２からの突出量Ｘ７よりも小さく設定されている。このため、破断ネジ１７０の頭部１７０ａが分離されていない状態にて、すなわち破断ネジ１７０の取り外しが規制されていない状態にて、両構成体１０１，１０２を組み合わせようとした場合には、破断ネジ１７０の頭部１７０ａと遮蔽部１８０とが当接し、所定の組み受け位置への移動が妨げられることとなる。すなわち、遮蔽部１８０は、上記破断ネジ１７０の露出を抑える遮蔽機能に加え、破断ネジ１７０における頭部１７０ａの取り忘れ防止機能を併せ有している。
【０１６０】
また、図１６（ｂ）に示すように、両構成体１０１，１０２を組み合わせた状態、詳しくは図１２（ｂ）に示すように両構成体１０１，１０２が組み合わされているものの未だ相互に位置ずれした状態においては、丸孔１７９の中心軸線（破断ネジ１７０の着脱経路）と遮蔽部１８０の一部とが重なっている。換言すれば、破断ネジ１７０を着脱する際の当該破断ネジ１７０の通過領域Ｅ１と遮蔽部１８０の一部とが、両構成体１０１，１０２の装着完了状態のみならず、少なくとも係止受け１２１に対してフック部１１１が引っ掛かった状態においては重なるように構成されている。このため、遮蔽部１８０による破断ネジ１７０の取り外し制限を解除するには、先ず両構成体１０１，１０２を分離する必要があり、両構成体１０１，１０２を規制手段による規制方向に若干位置ずれさせることにより破断ネジ１７０の不正な取り外しが容易化されるといった不都合は生じにくくなっている。
【０１６１】
次に、裏側結合領域１５１を形成する上での作業の流れ及び両構成体１０１，１０２の組み合わせ作業の流れを、図１６（ａ）及び図１７を用いて説明する。図１７（ａ）〜（ｄ）は裏側結合領域１５１を形成する上での作業を説明するための説明図である。なお、図１７（ａ），（ｂ）と図１７（ｃ），（ｄ）とは説明の便宜上、カバー部材１５４の長手方向においてずれた位置での断面を示している。
【０１６２】
図１７（ａ）に示す裏側構成体１０２の結合領域形成部１５２に対して、図１７（ｂ）に示すように受け部材１５３を設置する。当該設置は、受け部材１５３の受けベース部１６２が結合領域形成部１５２の溝部１５５内に入り込むように、且つ受け部材１５３の引っ掛け板部１６３が結合領域形成部１５２の内側溝壁部１５６に引っ掛けられた状態となるように行われる。
【０１６３】
図１７（ｂ）に示すように、受け部材１５３の受けベース部１６２が結合領域形成部１５２の溝部１５５の内周面と重なった状態となることで、受けベース部１６２の係止用凹部１６７が結合領域形成部１５２の係止部１５８により係止された状態となる。なお、係止部１５８はその先端が溝部１５５内に突出しているが、当該係止部１５８は受けベース部１６２の溝部１５５への入り込みに際して当該入り込みを阻害しない位置へと弾性変形可能に形成されている。
【０１６４】
その後、受け部材１５３が設置された結合領域形成部１５２にカバー部材１５４を設置する。この際、カバー部材１５４に位置決め用突起１７７が形成されていることにより、カバー部材１５４の設置を良好に行うことができる。また、カバー部材１５４を設置した場合には、当該カバー部材１５４により係止部１５８が外側から覆われる（図７及び図９参照）。さらに、溝部１５５の開放箇所における、係止部１５８と係止用凹部１６７との係止箇所を露出させる部位もカバー部材１５４により覆われる。これにより、係止部１５８と係止用凹部１６７との係止状態を不正に解除しようとしても、当該行為が行いづらくなる。なお、カバー部材１５４の装着完了位置への押し込み操作に基づいて、同カバー部材１５４と裏側構成体１０２とが引っ掛かった状態となり、カバー部材１５４の取り外しが規制される。このカバー部材１５４と裏側構成体１０２との引っ掛かりに関する構成及びカバー部材１５４の装着作業に関する詳細については後述する。
【０１６５】
次に、図１７（ｃ）に示すように、カバー部材１５４の円筒部１７８（詳しくは孔部１７８ａ）に対して破断ネジ１７０を挿入する。そして、この破断ネジ１７０を丸孔１７９及び連通孔１６９に挿通させ、ドライバ等の工具を用いて破断ネジ１７０を取付穴部１５９にねじ込む。それ以上破断ネジ１７０を締めることができない位置までねじ込むことにより、カバー部材１５４が裏側構成体１０２に対して固定された状態となる。すなわち、カバー部材１５４と受け部材１５３と裏側構成体１０２とが一体化され、裏側結合領域１５１の形成が完了する。
【０１６６】
このように、カバー部材１５４の固定がなされた状態にて、上記工具に更に所定の力を加えることにより、破断ネジ１７０の連結部分１７０ｂを切断する（図１７（ｄ）参照）。これにより、破断ネジ１７０の頭部１７０ａが分離され、当該頭部１７０ａの取り外しが可能となる。そして、このように頭部１７０ａの分離がなされることにより、破断ネジ１７０の取り外しが困難なものとなり、カバー部材１５４や受け部材１５３の裏側構成体１０２からの取り外しが規制される。
【０１６７】
その後、図１６（ａ）に示すように、両構成体１０１，１０２を所定の方向に相対移動させることによって両構成体１０１，１０２を組み合わせる。かかる場合、破断ネジ１７０の頭部１７０ａが取り除かれていることによって、両構成体１０１，１０２、の組み付け完了位置への移動が許容される。詳しくは、破断ネジ１７０と表側構成体１０１の遮蔽部１８０との干渉が回避され上述した組み付け完了位置への移動が許容されることとなる。このようにして両構成体１０１，１０２の組み付けが完了した状態においては、破断ネジ１７０の取り外し軌道上に遮蔽部１８０が位置することとなる。より詳しくは、円筒部１７８の開口が遮蔽部１８０によって塞がれ、破断ネジ１７０（詳しくは連結部分１７０ｂ）の露出が抑えられる。これにより、基板ボックス９２の外部からの破断ネジ１７０へのアクセスが困難なものとなる。故に、破断ネジ１７０を不正に取り外そうとしても、当該行為が行いづらくなる。
【０１６８】
ここで、カバー部材１５４の固定部位（丸孔１７９）と前記表側結合部１４２，１４３の相互の位置関係について説明する。図８等に示すように、カバー部材１５４の固定部位を挟んだ両側に第１表側結合部１４２が配置されている。より具体的には、カバー部材１５４の両短側に偏倚して第１表側結合部１４２が配置されている。そしてこれらカバー部材１５４の固定部位と第１表側結合部１４２との間には第２表側結合部１４３がそれぞれ配置されている。換言すれば、カバー部材１５４の固定部位は第１表側結合部１４２と第２表側結合部１４３とによって二重に挟まれた状態となっている。すなわち、固定部位と第１表側結合部１４２までの距離寸法は、固定部位と第２表側結合部１４３までの距離寸法よりも大きく設定されている。
【０１６９】
次に、表側結合部１４２，１４３と裏側結合部１７６との結合に関連する構成ついて説明する。上述の如く第１表側結合部１４２と第２表側結合部１４３との結合に関連する構成は一部相違している。故に、先ず図１８（ａ）に基づき第１表側結合部１４２について詳細に説明し、その後、第１表側結合部１４２との相違点を踏まえて第２表側結合部１４３について説明する。図１８（ａ）は基板ボックス９２における第１表側結合部１４２と裏側結合部１７６との結合箇所を示す断面図である。
【０１７０】
各裏側結合部１７６に対して対応する各第１表側結合部１４２が収容された状態では、上記のとおり、各第１表側結合部１４２の貫通孔部１４４と第１カバー板部１７２に形成された対応する貫通孔部１７４とが連通された状態となっている。これら連通された貫通孔部１４４，１７４に対して、図１８（ａ）に示すように、第１表側結合部１４２側から、金属製の第１結合具（固定具）１８１が挿入されていることで、第１表側結合部１４２と裏側結合部１７６とが結合（固定）されている。
【０１７１】
第１結合具１８１は、長尺状をなす金属製の板材が略Ｌ字状に折り曲げ形成されてなり、前記貫通孔部１４４，１７４に挿通されるベース部１８１ａと、ベース部１８１ａの片側の端部に形成され当該ベース部１８１ａと直交する操作部１８１ｂと、によって構成されている。ベース部１８１ａにはその厚み方向に貫通する係止孔部１８１ｃが形成されており、第１結合具１８１を挿入することで当該係止孔部１８１ｃ内に係止片１６８が入り込む。この場合、係止片１６８は上記のとおり板バネとしての機能を有しているとともに、自由端が凹み空間１６１の奥側に向けられているため、第１結合具１８１の挿入方向の移動は規制しないが、係止孔部１８１ｃ内に係止片１６８が入り込んだ後は第１結合具１８１の抜き取り方向の移動は規制する。これにより、第１表側結合部１４２と裏側結合部１７６とが結合され、表側構成体１０１と裏側構成体１０２とが固定される。第１結合具１８１を挿入する際には、操作部１８１ｂを指等で押すことにより、作業を容易に行うことができる。
【０１７２】
操作部１８１ｂは、ベース部１８１ａにおける表側結合部１４２側の端部に形成されており、装着された状態においては、その板面が第１表側結合部１４２の当接部１４２ａに当接している。当接部１４２ａは、操作部１８１ｂの板面と平行な略板状をなしている。これら操作部１８１ｂと当接部１４２ａとが当接することで、操作部１８１ｂと裏側結合部１７６との間に表側結合部１４２を挟み込んだ状態となっている。すなわち、両結合部１４２，１７６が結合された状態となっている。
【０１７３】
また、表側結合領域１４１（詳しくは第１表側結合部１４２）には、当接部１４２ａを囲って起立するとともに、操作部１８１ｂを内部に収容する第１周壁部１４２ｂが形成されている。換言すれば、第１周壁部１４２ｂによって操作部１８１ｂを収容する収容凹部１８２が形成されている。収容凹部１８２の内周は操作部１８１ｂの外周とほぼ同様となるように設定されており（図８参照）、操作部１８１ｂが収容凹部１８２に収容された後は、操作部１８１ｂを掴みづらくなっている。これにより、第１結合具１８１の不正な取り外しが抑制されている。
【０１７４】
次に、第２表側結合部１４３及び当該第２表側結合部１４３に関連する構成について図１８（ｂ）に基づき説明する。図１８（ｂ）は基板ボックス９２における第２表側結合部１４３と裏側結合部１７６との結合箇所を示す断面図である。
【０１７５】
第２表側結合部１４３は、第１表側結合部１４２と同様に、当接部１４３ａ及び周壁部１４３ｂを備えている。また、第１結合具１８１と同様に、第２表側結合部１４３と裏側結合部１７６とを結合（固定）する第２結合具（固定具）１８３が設けられている。そして、周壁部１４３ｂ及び膨出部１０４の壁面によって、第２結合具１８３を収容可能な収容凹部１８４が形成されており、第２結合具１８３が収容凹部１８４に嵌まり貫通孔部１４４，１７４に対して挿入されていることで、第２表側結合部１４３と裏側結合部１７６とが結合されている。
【０１７６】
第２結合具１８３は、長尺状をなす金属製の板材が略Ｌ字状に折り曲げ形成されてなり、前記貫通孔部１４４，１７４に挿通されるベース部１８３ａと、ベース部１８３ａの片側の端部に形成され当該ベース部１８３ａと直交する操作部１８３ｂと、によって構成されている。ベース部１８３ａにはその厚み方向に貫通する係止孔部１８３ｃが形成されており、第２結合具１８３を挿入することで当該係止孔部１８３ｃ内に前記係止片１６８が入り込む。この場合、係止片１６８は上記のとおり板バネとしての機能を有しているとともに、自由端が凹み空間１６１の奥側に向けられているため、第２結合具１８３の挿入方向の移動は規制しないが、係止孔部１８３ｃ内に係止片１６８が入り込んだ後は第２結合具１８３の抜き取り方向の移動は規制する。これにより、第２表側結合部１４３と裏側結合部１７６とが結合され、表側構成体１０１と裏側構成体１０２とが固定されることとなる。
【０１７７】
周壁部１４３ｂは、表側構成体１０１の膨出部１０４に対して連なっている。すなわち、第１表側結合部１４２とは異なり、表側構成体１０１からの離脱を容易とする（切断を容易とする）連結部１４５に相当する部位は設けられていない。故に、第２表側結合部１４３が結合された場合には、両構成体１０１，１０２の分離が不可能又は困難なものとなる。
【０１７８】
収容凹部１８４の内部には、第２結合具１８３の挿入方向を所定の方向、具体的には貫通孔部１４４の軸線方向に規制する規制部１４３ｃが形成されている。規制部１４３ｃは、貫通孔部１４４の軸線方向に延びる複数（本実施の形態においては２つ）の柱状部よりなる。より詳しくは、規制部１４３ｃは貫通孔部１４４を挟んで周壁部１４３ｂと対峙しており、それら規制部１４３ｃと周壁部１４３ｂとの間隔寸法は、第２結合具１８３におけるベース部１８３ａの板厚寸法とほぼ同等となっている。貫通孔部１４４に向けて挿入された第２結合具１８３は、そのベース部１８３ａが規制部１４３ｃと周壁部１４３ｂとによって挟まれた領域に嵌まることで、その挿入方向が規制される。
【０１７９】
操作部１８３ｂは、当該操作部１８３ｂにおける折り曲げ基端側から先端側までの最大長さ寸法が、その長さ方向において相互に対峙する周壁部１４３ｂ間の間隔寸法とほぼ同等となるように構成されており、その先端縁が周壁部１４３ｂに近接した状態となっている。また、操作部１８３ｂは、その最大幅寸法（長さ方向と直交する方向における幅寸法）その幅方向において相互に対峙する周壁部１４３ｂ間の間隔寸法とほぼ同等となるように構成されており、その幅方向における両側の縁部が周壁部１４３ｂに近接した状態となっている。このように各縁部を周壁部１４３ｂに対して近接させることで、操作部１８３ｂを掴みにくくしている。これにより、操作部１８３ｂの押し操作の容易さを維持しつつ、操作部１８３ｂの引き操作を困難なものとすることが可能となっている。なお、操作部１８３ｂにおける各縁部を周壁部１４３ｂに対して当接させてもよい。
【０１８０】
また図８等に示すように、第２結合具１８３の操作部１８３ｂには、規制部１４３ｃに対応する切欠き部１８３ｄが形成されている。具体的には切り欠き部１８３ｄは、貫通孔部１４４の軸線方向にて操作部１８３ｂにおける前記規制部１４３ｃと対峙している部位が削除されてなる。このため、規制部１４３ｃによって規制された所定の方向に第２結合具１８３を押し込んだとしても、これら規制部１４３ｃによって第２結合具１８３の移動が妨げられることはなく、第２結合具１８３の操作部１８３ｂと第２表側結合部１４３の当接部１４３ａとの接触が担保されている。
【０１８１】
なお、規制部１４３ｃは周壁部１４３ｂに沿って配置されている。これにより、操作部１８３ｂの押し込み操作に伴い指が規制部１４３ｃに当たるといった不都合を生じにくくしている。すなわち、操作部１８３ｂの操作性の担保が図られている。
【０１８２】
第２結合具１８３は、収容凹部１８４の内部において仮止め（係止）される構成、すなわち結合前の待機状態にて保持される構成となっている。以下、その具体的な構成について図９及び図１９に基づき説明する。図１９は図８のＣ−Ｃ線部分断面図である。
【０１８３】
図１９に示すように、収容凹部１８４の内部（詳しくは周壁部１４３ｂ）には、内方に突出し前記係止孔部１８３ｃに引っ掛かる仮止め部としての係止爪部１４３ｄが形成されている。周壁部１４３ｂには、第２結合具１８３の挿入に基づいて係止爪部１４３ｄを含んだ部位の撓み変形（弾性変形）を可能とする構成体側可動部１４３ｅが形成されている（図９参照）。構成体側可動部１４３ｅは板バネとしての機能を有しており、自身が撓み変形（弾性変形）することによって、収容凹部１８４の内方への係止爪部１４３ｄの突出量が減少する構成となっている。
【０１８４】
一方、区画壁部１７５には、当該区画壁部１７５における構成体側可動部１４３ｅと対峙している部位を含んだ領域が他の部位と独立して変形（弾性変形）できるようにカバー側可動部１７５ａが形成されている。具体的には、カバー側可動部１７５ａは、区画壁部１７５における構成体側可動部１４３ｅと対峙している部位を含んだ領域を挟んだ両側に切り込みが形成されており、この切り込みによって区画壁部１７５の周辺部位に対して独立して変形可能となっている。
【０１８５】
収容凹部１８４内に第２結合具１８３を挿入した際には、係止爪部１４３ｄと第２結合具１８３のベース部１８３ａとが接触する。第２結合具１８３の押し込み操作に基づいて、構成体側可動部１４３ｅが撓み変形（弾性変形）し、これに伴ってカバー側可動部１７５ａも撓み変形（弾性変形）する。すなわち、両可動部１４３ｅ，１７５ａが一体となって撓む。これにより、係止爪部１４３ｄの突出量が減少し、第２結合具１８３の挿入が許容される。詳しくは、係止爪部１４３ｄがベース部１８３ａの板面上に乗り上げた状態となり、第２結合具１８３の移動に伴って係止爪部１４３ｄがベース部１８３ａの板面上を摺動する。かかる状態においては、両可動部１４３ｅ，１７５ａの弾性力により、係止爪部１４３ｄがベース部１８３ａ側に付勢されたまま維持される。
【０１８６】
第２結合具１８３が所定位置まで押し込まれることにより、係止爪部１４３ｄが係止孔部１８３ｃに嵌まり得る状態となる。かかる場合、両可動部１４３ｅ，１７５ａが自身の弾性力により元の状態に復帰しようとすることで、係止爪部１４３ｄが係止孔部１８３ｃに嵌まり、それら係止爪部１４３ｄと係止孔部１８３ｃとが引っ掛かった状態となる。これにより、第２結合具１８３が仮止めされる。
【０１８７】
同図１９に示すように、係止孔部１８３ｃに対して係止爪部１４３ｄが引っ掛かった状態、すなわち仮止めされた状態では、ベース部１８３ａの先端部が貫通孔部１４４から突出（裏側結合部１７６側への突出）することが回避されている。このため、仮止めされている第２結合具１８３によって、両構成体１０１，１０２の相対移動が妨げられることはない。更に、第２結合具１８３が仮止めされた状態においては、操作部１８３ｂが収容凹部１８４内に収まっており、操作部１８３ｂを掴みにくくなっている。このため、第２結合具１８３を仮止めした後の当該第２結合具１８３の取り外し作業は困難なものとなっている。
【０１８８】
また、図７に示すように、カバー側可動部１７５ａは、構成体側可動部１４３ｅのみならず周壁部１４３ｂ（詳しくは周壁部１４３ｂにおける構成体側可動部１４３ｅを挟んだ両側）にも接触している。このため、仮にカバー側可動部１７５ａが主制御装置６３の外方から押された場合、カバー側可動部１７５ａに加わった負荷を周壁部１４３ｂによって分散することができ、構成体側可動部１４３ｅに対して局所的に負荷が集中することを回避可能となっている。更に、構成体側可動部１４３ｅの少なくとも可動先端側を含んだ部分に対してカバー側可動部１７５ａが接触している。これにより、外部から構成体側可動部１４３ｅが不正に操作されることを好適に抑制することが可能となっている。
【０１８９】
以上詳述した、構成体側可動部１４３ｅ及びカバー側可動部１７５ａによれば、構成体側可動部１４３ｅの撓み変形を許容可能としつつ、外部からの不正な操作等を抑制可能となり、実用上好ましい構成を実現することができる。
【０１９０】
なお、両結合具１８１，１８３は、裏側構成体１０２の壁部よりも高強度となるように金属により形成されているが、裏側構成体１０２の壁部よりも高強度であれば、金属製に限定されることはなく合成樹脂製であってもよく、合成樹脂材料にガラス繊維などの補強剤を分散させた材料により形成してもよく、合成樹脂材料により形成したものに対してメッキなどの表面処理を施すことにより形成してもよい。
【０１９１】
上記のとおり設置箇所からのカバー部材１５４の離脱方向は突起１７７により、裏側構成体１０２から表側構成体１０１に向けた方向に規制されているため、裏側結合部１７６に対して表側結合部１４２が重ね合わせられた状態となることで、カバー部材１５４を離脱させる方向への移動が一層好適に規制される。そして、表側結合部１４２と裏側結合部１７６とが結合されることで、カバー部材１５４は表側結合部１４２と結合領域形成部１５２とにより挟持され遊びのない状態となる。
【０１９２】
また、図１８に示すように、カバー部材１５４には、第１カバー板部１７２から基板ボックス９２の内部空間に入り込むようにして受け板部１８５が一体形成されている。受け板部１８５は、図１５（ｂ）に示すように、カバー部材１５４の長さ方向の概ね全体に亘って位置するように、複数箇所に設けられており、図１８に示すように、第１カバー板部１７２から裏側構成体１０２側に向けて延びる基端部１８６と、当該基端部１８６から基板ボックス９２の内部空間の中央側に向けて延びる先端部１８７と、を備えている。受け板部１８５の先端部１８７は、結合領域形成部１５２にカバー部材１５４を設置した状態で、裏側構成体１０２において結合領域形成部１５２に隣接させて形成された支持台部１８８に接している。また、受け板部１８５の先端部１８７は、裏側構成体１０２に表側構成体１０１を組み合わせた状態で、表側構成体１０１の枠部１１２及び表側構成体１０１に一体化された主制御基板９１の周縁部が乗り上げた状態となる。つまり、受け板部１８５の先端部１８７は、裏側構成体１０２の支持台部１８８と、表側構成体１０１の枠部１１２及び主制御基板９１の周縁部と、により挟持されている。これにより、カバー部材１５４の固定がより安定した状態で行われている。
【０１９３】
次に、表側結合部１４２，１４３と裏側結合部１７６とを結合状態とする場合の作業の流れを、図１８を用いて説明する。図２０（ａ）〜（ｃ）は第１表側結合部１４２と裏側結合部１７６とを結合状態とする場合の作業の流れを説明するための説明図である。
【０１９４】
図２０（ａ）は示すように結合領域形成部１５２に受け部材１５３及びカバー部材１５４が設置されて裏側結合領域１５１が形成された状態の裏側構成体１０２に対して表側構成体１０１を組み合わせることにより、図２０（ｂ）に示すように、第１表側結合部１４２の貫通孔部１４４と、対応する裏側結合部１７６の貫通孔部１７４とが連通された状態となる。この場合、フック部１１１及び係止受け１２１からなる規制手段により規制された状態とすることで、自ずと第１表側結合部１４２が裏側結合領域１５１の各裏側結合部１７６に対して、対応する各第１表側結合部１４２が収容された状態となり、上記のとおり各貫通孔部１４４，１７４が連通された状態となる。
【０１９５】
その後、図２０（ｃ）に示すように、連通された貫通孔部１４４，１７４に対して、第１表側結合部１４２側から第１結合具１８１を挿入することで、それら第１結合具１８１が挿入された第１表側結合部１４２及び裏側結合部１７６の組み合わせが結合状態となり、表側構成体１０１と裏側構成体１０２とが固定される。この場合に、第１表側結合部１４２と裏側結合部１７６との組み合わせは複数組（具体的には、２組）設けられているが、これら各組み合わせに対して第１結合具１８１を挿入することで、表側構成体１０１と裏側構成体１０２との固定は行われる。
【０１９６】
主制御装置６３の製造工程においては、上述の如く第１表側結合部１４２及び裏側結合部１７６の結合作業とともに、第２表側結合部１４３及び裏側結合部１７６を結合待機状態とするための（仮止めするための）予備的作業が行われる。再び図１９を用いて、この予備的作業について説明する。
【０１９７】
第１表側結合部１４２と裏側結合部１７６の結合作業が終了した後に、第２結合具１８３の仮止め作業が行われる。具体的には、第２表側結合部１４３の貫通孔部１４４に向けて第２収容凹部１８４の開口から第２結合具１８３を挿入する。かかる場合、第２結合具１８３のベース部１８３ａを貫通孔部１４４に向かって押し込むことで、ベース部１８３ａが規制部１４３ｃと周壁部１４３ｂとの間に挟まれた状態となり、その移動方向が規制される。これとほぼ同期して、ベース部１８３ａの先端が係止爪部１４３ｄに当たる。第２結合具１８３を更に押し込むことで、係止爪部１４３ｄが係止孔部１８３ｃに嵌まり、第２結合具１８３が第２表側結合部１４３に対して引っ掛かった状態となる。かかる場合、操作部１８３ｂ全体が第２収容凹部１８４内に収容される。これにより、操作部１８３ｂの押し込み操作の操作性を担保しつつ、引っ張り操作を困難なものとしている。
【０１９８】
なお、以上詳述した第２結合具１８３の仮止め作業を行った後、上述した第１表側結合部１４２及び裏側結合部１７６の結合作業を行うことも可能である。かかる場合、第２結合具１８３の仮止めを行うことにより、第１表側結合部１４２及び裏側結合部１７６の結合作業が可能となる構成としてもよい。
【０１９９】
次に、第１表側結合部１４２と裏側結合部１７６とを結合状態とした状態において、表側構成体１０１及び裏側構成体１０２の固定状態を解除する場合の作業の流れを、図２１を用いて説明する。図２１（ａ）〜（ｃ）は表側構成体１０１と裏側構成体１０２との固定状態を解除する場合の作業の流れを説明するための説明図である。
【０２００】
表側構成体１０１と裏側構成体１０２との固定状態の解除に際しては、図２１（ａ）に示すように、結合状態となっている第１表側結合部１４２と膨出部１０４との間の連結部１４５を切断するとともに、結合状態となっている第１表側結合部１４２と結合状態となっていない第２表側結合部１４３との間の連結部１４６をニッパやカッタ等の工具により切断する。これにより、表側構成体１０１と裏側構成体１０２との分離が、第１表側結合部１４２及び裏側結合部１７６の結合により阻害されなくなる。
【０２０１】
この場合に、連結部１４５，１４６は第１表側結合部１４２に対して設けられており、裏側結合領域１５１は破壊されない。したがって、結合状態となっている第１表側結合部１４２は裏側結合領域１５１側に残る。また、このように結合状態となっている第１表側結合部１４２が残ることで、当該第１表側結合部１４２と裏側結合部１７６との結合を通じて、カバー部材１５４が結合領域形成部１５２に固定された状態は維持される。
【０２０２】
その後、図２１（ｂ）に示すように、フック部１１１及び係止受け１２１からなる規制手段により規制された方向に表側構成体１０１又は裏側構成体１０２の少なくとも一方をスライド移動させることにより、フック部１１１と係止受け１２１との係止状態が解除される。その後、図２１（ｃ）に示すように、表側構成体１０１と裏側構成体１０２とを基板ボックス９２の厚み方向に分離させることで、これら構成体１０１，１０２が完全に分離された状態となる。
【０２０３】
この場合、上記連結部１４５が切断されていることにより、当該連結部１４５の切断箇所を確認することで表側構成体１０１と裏側構成体１０２とが分離されたか否かを確認することが可能となる。
【０２０４】
このように、両構成体１０１，１０２の固定状態を解除することにより、主制御基板９１やＣＰＵチップ９３を露出させることができ、主制御基板９１やＣＰＵチップ９３の検査等を実施可能となる。本実施の形態に示す両構成体１０１，１０２は、分離された後に第２表側結合部１４３及び裏側結合部１７６を結合することにより再ボックス化可能となっている。
【０２０５】
ここで、両構成体１０１，１０２の再固定する際の作業について図１８（ｂ），図１９，図２１（ｄ）及び図２１（ｅ）を用いて説明する。図２１（ｄ）及び図２１（ｅ）は表側構成体１０１と裏側構成体１０２との再固定する場合の作業の流れを説明するための説明図である。図２１（ｄ）→図２１（ｅ）の作業に基づいて、第２結合具１８３が図１９→図１８（ｂ）の状態に移行される。
【０２０６】
図２１（ｃ）に示すように、両構成体１０１，１０２を分離し、主制御基板９１やＣＰＵチップ９３の検査等を行った後、再び両構成体１０１，１０２を組み合わせる（図１９及び図２１（ｄ）参照）。この状態では、第２表側結合部１４３の貫通孔部１４４と裏側結合部１７６の貫通孔部１７４とが連通した状態となる。ここで、図１９及び図２１（ｄ）に示すように係止爪部１４３ｄによって仮止めされている第２結合具１８３を、裏側構成体１０２側へと押し込み図１８（ｂ）及び図２１（ｅ）の状態に移行させる（係止爪部１４３ｄについては図１９参照）。図１８（ｂ）に示すように押し込まれた第２結合具１８３が係止片１６８と引っ掛かり、第２表側結合部１４３と裏側結合部１７６とが結合された状態となる。これにより、両構成体１０１，１０２の再固定が完了する。
【０２０７】
第２表側結合部１４３には第１表側結合部１４２と異なり、連結部１４５，１４６に相当する切断を容易とする箇所が設けられていない。このため、第２表側結合部１４３を結合した後は、その結合状態の解除は困難なものとなっている。
【０２０８】
なお、第２表側結合部１４３が、第１表側結合部１４２と同様に、連結部１４５，１４６等に相当する積極的に切断を容易とした部分を有する構成とすることも可能である。
【０２０９】
次に、基板ボックス９２に設けられた他の固定構造について簡略に説明する。
【０２１０】
図８に示すように、基板ボックス９２において表側結合領域１４１及び裏側結合領域１５１が設けられた側とは反対側の短辺部には、貼付板部１９１が設けられている。当該貼付板部１９１は、表側構成体１０１に形成された貼付板部と、裏側構成体１０２に形成された貼付板部とが重ね合わされることにより構成されている。貼付板部１９１には、両者の境界を跨ぐようにして封印シール１９２が貼り付けられている。封印シール１９２は、貼り付けた後に剥がすと粘着剤層が貼付板部１９１側に残り、再貼付不可となるものである。
【０２１１】
なお、基板ボックス９２において貼付板部１９１が設けられた短辺部には、当該貼付板部１９１を挟むようにして固定部１９３が設けられており、当該固定部１９３に対してネジ固定が行われていることで表側構成体１０１と裏側構成体１０２とが固定されている。
【０２１２】
また、本実施の形態においては、前述したカバー部材１５４の取り外しの規制に関して特徴的な構成を備えている。詳しくは、裏側構成体１０２からのカバー部材１５４の取り外しを規制する取り外し規制手段として、（１）前記破断ネジ１７０，（２）上述した両構成体１０１，１０２によるカバー部材１５４の挟み込み構造，（３）係止機構が設けられており、この（３）係止機構が特徴的な構成を備えている。そこで以下、その係止機構及びそれに関連する構成について図８，図９，図１５及び図２２に基づき詳細に説明する。図２２は図８のＤ−Ｄ線部分断面図である。なお、（１）破断ネジ１７０，（２）挟み込み構造に関する具体的な構成については既に説明済みであるため、ここでの説明は省略する。
【０２１３】
図２２に示すように、係止機構１９５は、裏側構成体１０２に設けられた前記構成体側係止部１５８と、カバー部材１５４に設けられ構成体側係止部１５８に引っ掛かるカバー側係止部１９６とを備えている。それら両係止部１５８，１９６が相互に引っ掛かることにより裏側構成体１０２とカバー部材１５４との分離が規制されている。
【０２１４】
再び図８を用いて説明すれば、係止機構１９５は、カバー部材１５４の円筒部１７８を挟んだ両側、すなわちカバー部材１５４の中央を挟んだ両側にそれぞれ設けられている。より具体的には、第１表側結合部１４２と第２表側結合部１４３との間にそれぞれ配置されている。このように両結合部１４２，１４３に挟まれた位置に係止機構１９５を配することにより、各結合部１４２，１４３付近でのカバー部材１５４の位置ずれ（例えば浮き上がり等）が好適に抑制されている。なお、それら各係止機構１９５は同様の構成を有するため、以下、片方の係止機構１９５（図８における上側の係止機構１９５）について説明し、他方の係止機構（図８における下側の係止機構１９５）についての説明は省略する。
【０２１５】
図９及び図２２に示すように、構成体側係止部１５８は、裏側構成体１０２の外側溝壁部１５７の一部が周辺部位に対して区画されてなる。より具体的には、外側溝壁部１５７にはその先端縁から根元側に延びる一対の切込みが形成されており、その切込みによって挟まれた部位を用いて前記構成体側係止部１５８が構成されている。
【０２１６】
構成体側係止部１５８は、裏側構成体１０２の平面部１０５から起立するアーム部１９７を備えている。アーム部１９７は外側溝壁部１５７と平行な略板状をなしており、外側溝壁部１５７と同様にその先端部がカバー部材１５４の第１カバー板部１７２に当接している。そして、アーム部１９７の先端側には内側溝壁部１５６側に突出する係止爪部１９８が一体成形されている（図２２参照）。より詳細には、係止爪部１９８は溝部１５５内に突出している。なお、構成体側係止部１５８（詳しくはアーム部１９７）の先端が第１カバー板部１７２に当接する構成としたが、それら両者の間に所定の隙間を設けてもよい、例えばそれら両者が近接する構成とすることも可能である。
【０２１７】
上述したように構成体側係止部１５８は受け部材１５３の取り外しを規制する機能を併せ有している。具体的には、溝部１５５内に収容された受け部材１５３は、外側対向板部が内側溝壁部１５６及びアーム部１９７の板面と接触しているとともに、反対側の内側対向板部１６４が内側溝壁部１５６に接触している状態、すなわちその着脱方向が規制された状態にて、係止用凹部１６７に対して係止爪部１９８が引っ掛かることにより、溝部１５５からの取り外しが規制されている。
【０２１８】
このように係止用凹部１６７に対して係止爪部１９８が引っ掛かった状態においては、係止爪部１９８の先端が受け部材１５３によって形成された凹み空間１６１内に突出している。より詳しくは、係止爪部１９８は係止用凹部１６７に対して接触する構成体側係止面１９８ａを有しており、その構成体側係止面１９８ａの一部が、凹み空間１６１内に延出している。
【０２１９】
この凹み空間１６１には、カバー部材１５４のカバー側係止部１９６が嵌まっている。より詳しくは、カバー側係止部１９６は、受け部材１５３の外側対向板部を挟んでアーム部１９７と対峙する位置に配されている。また、カバー側係止部１９６は前記位置決め用突起１７７によって挟まれた領域に配置されている。これにより、構成体側係止部１５８との相対位置がずれるといった不都合を抑制し、両係止部１５８，１９６の引っ掛かりを担保することが可能となっている。
【０２２０】
カバー側係止部１９６は、第１カバー板部１７２に対して一体成形されており、同第1
カバー板部１７２から起立する起立部１９９を有している。起立部１９９の起立量は、位置決め用突起１７７の第１カバー板部１７２からの起立量と同等、すなわち、凹み空間１６１の深さ寸法と同等に設定されている。このため、カバー部材１５４が装着された状態においては、起立部１９９の先端が凹み空間１６１の底部（詳しくは連結板部１６６）に接している。なお、起立部１９９の先端と連結板部１６６との間に所定の隙間を設ける構成とすることも可能である。
【０２２１】
起立部１９９はアーム部１９７と平行な略板状をなしており、その根元側には当該起立部１９９の板厚方向に貫通し係止爪部１９８が嵌まる係止孔部２００が形成されている。係止孔部２００における内周面の一部は、構成体側係止面１９８ａに対して引っ掛かるカバー側係止面２００ａを構成しており、これら係止面１９８ａ，２００ａ同士が若干の隙間を隔てて対峙している（近接している）。これら係止面１９８ａ，２００ａが当接することにより、カバー部材１５４の取り外しが規制されることとなる。更に、これら各係止面１９８ａ，２００ａは、カバー部材１５４の着脱方向と直交する平面状をなしている。このため、カバー部材１５４が離脱方向に引っ張られる等した場合であっても、係止面１９８ａ，２００ａに沿って各係止部１５８，１９６が位置ずれするといった不都合が生じにくくなっている。なお、カバー部材１５４が装着された状態において、これら両係止面１９８ａ，２００ａを相互に接触させる構成としてもよい。
【０２２２】
次に、両係止部１５８，１９６の引っ掛かり状態と引っ掛かり解除状態との切り替えを実現する構成について詳細に説明する。
【０２２３】
図９及び図２２に示すように、アーム部１９７の外面は、外側溝壁部１５７の外面から段差状に凹むように形成されている。具体的には、アーム部１９７の内面が外側溝壁部１５７の内面と同一平面上に位置しているとともに、アーム部１９７の厚み寸法が外側溝壁部１５７の厚み寸法よりも小さく設定されていることにより、上述した段差が形成されている。このため、外側溝壁部１５７の外面はそのほぼ全域においてカバー部材１５４の第２カバー板部１７３と接触しているのに対して、アーム部１９７の外面は同第２カバー板部１７３に対して所定の間隔（隙間）を隔てて対峙した状態となっている。換言すれば、カバー部材１５４が装着されることにより、アーム部１９７と第２カバー板部１７３との間には、閉空間が区画形成されている。
【０２２４】
アーム部１９７は、所定の方向における撓み変形（弾性変形）が容易となるように形成されている。具体的には、その厚み寸法がその幅寸法、すなわち外側溝壁部１５７の長手方向における長さ寸法よりも小さく設定されており、カバー側係止部１９６側及び第２カバー板部１７３側への撓み変形の容易化が図られている。但し、アーム部１９７の撓み変形は外側溝壁部１５７及び受け部材１５３の外側対向板部によって抑えられており、実質的に第２カバー板部１７３側への撓み変形、すなわちカバー側係止部１９６から離れる側への撓み変形のみが許容された状態となっている。つまり、構成体側係止部１５８においては、第２カバー板部１７３側への撓み変形のみが許容されるように規制されている。
【０２２５】
上述の如く、構成体側係止部１５８（詳しくはアーム部１９７）と第２カバー板部１７３との間には、所定の隙間が確保されており、第２カバー板部１７３側へのアーム部１９７の撓み変形はその隙間の範囲内において許容されている。すなわち、アーム部１９７が第２カバー板部１７３側へ撓み変形した場合、アーム部１９７の先端部と第２カバー板部１７３とが接触することによってそれ以上の撓み変形が抑えられる。より詳細には、アーム部１９７の先端部が第２カバー板部１７３の根元側に接触する。これにより、アーム部１９７に押されることによって第２カバー板部１７３が撓むといった不都合が生じにくくなっている。そして、第２カバー板部１７３によってアーム部１９７の撓み変形が規制されることにより、同アーム部１９７が弾性変形限界を超えて塑性変形領域まで変形するといった不都合の発生が回避されている。なお、第２カバー板部１７３によって構成体側係止部１５８の撓み変形が規制される点、すなわち係止爪部１９８の変位が規制される点に着目すれば、第２カバー板部１７３を「規制部」又は「カバー側規制部」と称することも可能である。
【０２２６】
また、カバー側係止部１９６についても同様に所定の方向における撓み変形（弾性変形）が容易となるように形成されている。具体的には、起立部１９９の板厚寸法は位置決め用突起１７７の板厚寸法よりも小さくなっており、受け部材１５３の内側対向板部１６４との間には所定の隙間が確保されている。
【０２２７】
より具体的には、起立部１９９の厚み寸法がその起立部１９９の幅寸法、すなわちカバー部材１５４の長手方向における長さ寸法よりも小さく設定されており、カバー部材１５４の長手方向への起立部１９９の撓み変形を困難なものとしつつ、構成体側係止部１５８側（第２カバー板部１７３側）及び内側溝壁部１５６側（受け部材１５４の内側対向板部１６４側）への撓み変形を容易化している。これにより、カバー側係止部１９６、詳しくは起立部１９９の撓む側が実質的に内側対向板部１６４側となるように規制された状態となっている。言い換えれば、カバー側係止部１９６においては、構成体側係止部１５８における撓み変形が許容されている側と反対側への撓み変形が許容されている。
【０２２８】
カバー側係止部１９６が内側対向板部１６４側へ撓み変形した場合、カバー側係止部１９６と内側対向板部１６４とが接触することによってそれ以上の撓み変形が回避される。そして、内側対向板部１６４によってカバー側係止部１９６の撓み変形が規制されることにより、同カバー側係止部１９６が弾性変形限界を超えて塑性変形領域まで変形するといった不都合の発生が回避されている。なお、内側対向板部１６４によってカバー側係止部１９６の変形が規制される点、すなわち係止孔部２００の変位が規制される点に着目すれば、内側対向板部１６４を「規制部」又は「構成体側規制部」と称することも可能である。
【０２２９】
ここで、両係止部１５８，１９６（詳しくは係止面１９８ａ，２００ａ）の掛かり代と両係止部１５８，１９６の撓み変形量との関係について図２２及び図２３に基づき詳細に説明する。図２３（ａ）は構成体側係止部１５８の撓み変形が規制された状態を示す概略図であり、図２３（ｂ）はカバー側係止部１９６の撓み変形が規制された状態を示す概略図であり、図２３（ｃ）は構成体側係止部１５８及びカバー側係止部１９６の両者の撓み変形が規制された状態を示す概略図である。なお、図２２に示す二点鎖線は、各係止部１５８，１９６が撓み変形している状態を簡略化して示したものである。
【０２３０】
上述したように、構成体側係止部１５８においては、同構成体側係止部１５８が第２カバー板部１７３側に撓むことにより、構成体側係止面１９８ａが第２カバー板部１７３側に変位（移動）する。これにより、係止面１９８ａ，２００ａの掛かり代が減少する。また、カバー側係止部１９６においては、同カバー側係止部１９６が内側対向板部１６４側に撓むことにより、カバー側係止面２００ａが内側対向板部１６４側に変位（移動）する。これにより、係止面１９８ａ，２００ａの掛かり代が減少する。本実施の形態においては、各係止部１５８，１９６の引っ掛かりを解除する際の撓み方向を互いに逆としたため、構成体側係止部１５８のカバー側係止部１９６に対する掛かり代と、カバー側係止部１９６の構成体側係止部１５８に対する掛かり代とは同一となっている。
【０２３１】
ここで、引っ掛かり状態を解除するために要する構成体側係止部１５８（詳しくは構成体側係止面１９８ａ）の第２カバー板部１７３側への変位量と、同じく引っ掛かり状態を解除するために要するカバー側係止部１９６（詳しくはカバー側係止面２００ａ）の内側対向板部１６４側への変位量との総和を両係止部１５８，１９６の掛かり代とみなすことができる。以下、これら両係止部１５８，１９６の掛かり代を「掛かり代Ｘ１０」と称する。
【０２３２】
図２２に示すように、第２カバー板部１７３によって規定された構成体側係止面１９８ａの変位量Ｘ１１、詳しくは構成体側係止部１５８の先端部が第２カバー板部１７３に当接した状態における構成体側係止面１９８ａの第２カバー板部１７３側への変位量Ｘ１１（以下、規定変位量Ｘ１１と称する）は、掛かり代Ｘ１０よりも小さく設定されている。このため、構成体側係止部１５８の先端が第２カバー板部１７３に当接するまで変形しても、両係止部１５８，１９６の引っ掛かりが維持される（図２３（ａ）参照）。
【０２３３】
また、第２カバー板部１７３と構成体側係止部１５８との隙間寸法Ｘ１２についても同様に、掛かり代Ｘ１０よりも小さく設定されている。これにより、例えば構成体側係止部１５８の中間部位（詳しくは構成体側係止面１９８ａに対応する部位）が第２カバー板部１７３に向けて押圧され構成体側係止面１９８ａの変位量が最大となるように構成体側係止部１５８が変形されたとしても、両係止部１５８，１９６の引っ掛かりは維持されることとなる。
【０２３４】
同図２２に示すように、内側対向板部１６４によって規定されたカバー側係止面２００ａの規定変位量Ｘ１３、詳しくはカバー側係止部１９６の先端部が内側対向板部１６４に当接した状態におけるカバー側係止面２００ａの内側対向板部１６４側への変位量Ｘ１３（以下、規定変位量Ｘ１３と称する）は、掛かり代Ｘ１０よりも小さく設定されている。このため、カバー側係止部１９６の先端が内側対向板部１６４に当接するまで変形しても、両係止部１５８，１９６の引っ掛かりが維持される（図２３（ｂ）参照）。
【０２３５】
また、内側対向板部１６４とカバー側係止部１９６との隙間寸法Ｘ１４についても同様に、掛かり代Ｘ１０よりも小さく設定されている。これにより、例えばカバー側係止部１９６の中間部位（詳しくはカバー側係止面２００ａに対応する部位）が内側対向板部１６４に向けて押圧されカバー側係止面２００ａの変位量が最大となるようにカバー側係止部１９６が変形されたとしても、両係止部１５８，１９６の引っ掛かりは維持されることとなる。
【０２３６】
そして、構成体側係止部１５８の規定変位量Ｘ１１とカバー側係止部１９６の規定変位量Ｘ１３との総和は、掛かり代Ｘ１０よりも大きくなるように設定されている。このため、両係止部１５８，１９６の変位量が規定値に達すれば、より詳しくは両係止部１５８，１９６の変位量の総和が掛かり代Ｘ１０を少なくとも上回れば、両係止部１５８，１９６の引っ掛かり状態が解除され、カバー部材１５４の取り外しが許容されることとなる（図２３（ｃ）参照）。
【０２３７】
上述したように、構成体側係止部１５８は、カバー側係止部１９６に対する引っ掛かり機能に加えて、受け部材１５３の取り外しを規制する機能を有している。このように受け部材１５３の取り外しを規制する機能は、図２３（ａ）及び図２３（ｃ）に示すように、構成体側係止面１９８ａの変位量が規定値（規定変位量）Ｘ１１に達するように構成体側係止部１５８が撓んだとしても維持される構成となっている。具体的には、図２２に示すように、構成体側係止部１５８の構成体側係止面１９８ａと受け部材１５３の係止用凹部１６７との掛かり代Ｘ１５は、構成体側係止面１９８ａの規定変位量Ｘ１１よりも大きく設定されている。これにより、カバー部材１５４が装着された状態においては、受け部材１５３の引っ掛かり状態が好適に維持され、当該受け部材１５３の位置ずれ等を抑えることが可能となっている。なお、掛かり代Ｘ１５は、構成体側係止面１９８ａの最大変位量（すなわち隙間寸法Ｘ１２）よりも大きく設定されている。このため、構成体側係止面１９８ａが最大変位した場合であっても、受け部材１５３の取り外し規制機能は維持されることとなる。
【０２３８】
また、図２２に示すように、構成体側係止部１５８には、カバー部材１５４の装着方向への移動に伴って両係止部１５８，１９６を相互に離れる側へ撓ませる構成体側ガイド部１５８ａが形成されている。構成体側ガイド部１５８ａは、アーム部１９７と係止爪部１９８とに連続し、カバー部材１５４の装着方向に向かって凹み空間１６１側に下るように傾斜する面状をなしている。また、構成体側ガイド部１５８ａは、カバー部材１５４の装着方向においてカバー側係止部１９６の先端の一部と重なっている。
【０２３９】
さらに、カバー側係止部１９６の先端における構成体側ガイド部１５８ａに対峙する部位には、構成体側ガイド部１５８ａに対応するカバー側ガイド部１９９ａが設けられている。具体的には、カバー側ガイド部１９９ａは、カバー側係止部１９６の先端部が面取りされてなり、構成体側ガイド部１５８ａと略平行となるように形成されている。これにより、両ガイド部１５８ａ，１９９ａが当った際のそれら両者の支えを抑制し、円滑な撓み変形を促進することが可能となっている。また、これら両ガイド部１５８ａ，１９９ａにより各係止部１５８，１９６の意図せぬ側への撓みを抑制し、予め定められた側へ向けて正常な撓み変形が生じるように案内することができる。
【０２４０】
次に、図２４に基づきカバー部材１５４の装着作業について説明する。図２４（ａ）〜（ｄ）はカバー部材１５４を装着する際の作業の流れを示す概略図であり、装着の際には、図２４（ａ）→図２４（ｂ）→図２４（ｃ）→図２４（ｄ）の順に作業が行われる。
【０２４１】
図２４（ａ）に示すように、カバー部材１５４装着の準備段階として、先ず受け部材１５３を溝部１５５内に装着する。かかる作業を行う際には、受け部材１５３の溝部１５５内への挿入に伴って、受け部材１５３の連結板部１６６が構成体側ガイド部１５８ａに当る。構成体側ガイド部１５８ａを溝部１５５の奥方に押し込むことにより、構成体側係止部１５８が受け部材１５３から離れる側に撓み変形する。これにより、係止爪部１９８の溝部１５５内への突出量が減少し、受け部材１５３の装着完了位置への移動が許容される。このように構成体側係止部１５８が撓み変形する際には、カバー部材１５４の装着が未だ行われておらず、第２カバー板部１７３による撓み変形の規制が実施されない。このため、構成体側係止部１５８を、受け部材１５３の溝部１５５内への移動を許容できる程度に大きく撓ませることが可能となっている。
【０２４２】
受け部材１５３が所定の装着完了位置に到達することに伴い構成体側係止部１５８が元の状態に復帰する。そして、係止用凹部１６７に対して係止爪部１９８が引っ掛かる。これにより、受け部材１５３の装着が完了し、同受け部材１５３の取り外しが規制される。
【０２４３】
次に図２４（ｂ）に示すようにカバー部材１５４の位置決め用突起１７７が受け部材１５３の凹み空間１６１に嵌まるように、同カバー部材１５４の押し込みを行う。位置決め用突起１７７が凹み空間１６１内に挿入されることにより、カバー部材１５４の装着方向が規定される。また、起立部１９９の起立量は、第1カバー板部１７２からの第２カバー
板部１７３の起立量よりも小さく設定されている。このため、起立部１９９が凹み空間１６１に挿入されることに先んじて第２カバー板部１７３が外側溝壁部１５７に接触することとなる。第２カバー板部１７３を外側溝壁部１５７に沿わせて挿入することによりカバー部材１５４の位置ずれが抑えられ、位置決め用突起１７７と凹み空間１６１との相対位置を目視にて確認することなく、上述した挿入作業を実施することができる。
【０２４４】
このように、カバー部材１５４の挿入方向が規定された状態において、カバー部材１５４を押し込むことにより、カバー側係止部１９６のカバー側ガイド部１９９ａが構成体側係止部１５８の構成体側ガイド部１５８ａに接触する。かかる状態においては、第２カバー板部１７３が外側溝壁部１５７と対峙（詳しくは接触）している。より詳しくは、第２カバー板部１７３は構成体側係止部１５８の先端部と対峙している。これにより、同構成体側係止部１５８の撓みを規制可能となっている。
【０２４５】
図２４（ｂ）に示す状態から、カバー部材１５４を更に押し込むと、カバー側係止部１９６（詳しくはカバー側ガイド部１９９ａ）によって構成体側ガイド部１５８ａが押され、構成体側係止部１５８が第２カバー板部１７３側に撓み変形する。これと同期して、カバー側ガイド部１９９ａが構成体側ガイド部１５８ａ上を摺動し、カバー側係止部１９６は受け部材１５３の内側対向板部１６４側に撓み変形する。そして、両係止部１５８，１９６の撓み量の総和が所定量を超えることによって、係止爪部１９８が起立部１９９の板面に乗り上げた状態となり、カバー部材１５４の装着完了位置への移動が許容されることとなる（図２４（ｃ）参照）。
【０２４６】
このようにカバー部材１５４の装着完了位置への移動が許容された状態にて、カバー部材１５４を更に押し込むことにより、係止爪部１９８が係止孔部２００に到達する。これに伴って、両係止部１５８，１９６が自身の弾性力によって元の状態に復帰し、図２４（ｄ）に示すように係止爪部１９８が係止孔部２００に嵌まる。これとほぼ同期して、カバー部材１５４が装着完了位置に到達し、当該カバー部材１５４の取り外しが規制された状態となる。
【０２４７】
次に、パチンコ機１０の電気的構成について、図２２のブロック図に基づいて説明する。図２２では、電力の供給ラインを二重線矢印で示し、信号ラインを実線矢印で示す。
【０２４８】
主制御装置６３に設けられた主制御基板９１には、主制御回路２０２と停電監視回路２０３とが内蔵されている。主制御回路２０２には、ＣＰＵチップ９３が搭載されている。ＣＰＵチップ９３には、当該ＣＰＵチップ９３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０２４９】
ＣＰＵチップ９３には、入力ポート及び出力ポートがそれぞれ設けられている。ＣＰＵチップ９３の入力側には、主制御基板９１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ９３には停電監視回路２０３を介して電力が供給される。
【０２５０】
一方、ＣＰＵチップ９３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０２５１】
停電監視回路２０３は、主制御回路２０２と電源及び発射制御基板２１５とを中継し、また電源及び発射制御基板２１５から出力される最大電圧である直流安定２４ボルトの電圧を監視する。
【０２５２】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０２５３】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０２５４】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０２５５】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０２５６】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０２５７】
以上詳述した本実施の形態によれば、以下の優れた効果を奏する。
【０２５８】
主制御装置６３の基板ボックス９２において、表側結合部１４２と裏側結合部１７６とを結合具１８１により結合することで、表側構成体１０１と裏側構成体１０２との分離が阻止される。この場合に、裏側構成体１０２において結合具１８１を係止する受け部材１５３は金属製であるため、受け部材１５３と結合具１８１との係止箇所を破壊して当該係止を解除しようとしてもそれが行いづらくなる。本構成において、受け部材１５３は、全ての裏側結合部１７６に亘って設けられている。これにより、各裏側結合部１７６のそれぞれに対して個別に受け部材１５３を設置する構成に比べ、基板ボックス９２の形成作業を良好に行うことができる。また、各裏側結合部１７６のそれぞれに対して個別に受け部材を設置する構成に比べ、受け部材１５３に関して部材点数の削減を図ることが可能となる。
【０２５９】
上記金属製の受け部材１５３は、基板ボックス９２の所定の周面部におけるその長さ方向の略全体に亘って設けられているため、当該所定の周面部を破壊して基板ボックス９２の内部空間へ通じる開口を不正に形成しようとする行為を阻止することが可能となる。また、固定手段を構成する受け部材１５３により当該不正行為の阻止を可能とする機能が果たされるため、受け部材１５３の多機能化が図られる。
【０２６０】
受け部材１５３は、相互に対向する一対の対向板部１６４，１６５により幅方向が規定されて形成された一連の凹み空間１６１を備えているとともに、各裏側結合部１７６に対応した係止部１５８が凹み空間１６１内に形成されている。そして、結合具１８１との係止は凹み空間１６１内において行われる。つまり、結合具１８１の係止箇所は、金属製の受け部材１５３により規定された凹み空間１６１内において行われる。よって、当該係止箇所の周囲を破壊して、係止状態を解除しようとしてもそれが行いづらくなり、かかる不正行為を阻止することが可能となる。また、一連の凹み空間１６１内に複数の係止部１５８を設けるという比較的簡素な構成により、各裏側結合部１７６について、上記優れた効果を得ることができる。
【０２６１】
また、凹み空間１６１を形成する一対の対向板部１６４，１６５が、基板ボックス９２の所定の周面部における長さ方向の略全体に亘って位置するように設けられている。したがって、一の板部が設けられた構成に比べ、所定の周面部の強度が高められ、当該所定の周面部を破壊して基板ボックス９２の内部空間へ通じる開口を不正に形成しようとする行為を阻止することが可能となる。
【０２６２】
裏側構成体１０２には、受け部材１５３の凹み空間１６１の入口を複数の開口に区画し、複数の裏側結合部１７６を形成するカバー部材１５４が設けられている。これにより、金属製の受け部材１５３において凹み空間１６１の入口を複数の開口に区画する部位が設けられていなくても、当該区画する機能がカバー部材１５４により果たされる。これにより、受け部材１５３の形状をシンプルなものとすることが可能となる。特に、カバー部材１５４は合成樹脂製であるため、裏側結合部１７６において複雑な形状を有する部位については合成樹脂製のカバー部材１５４にて形成し、結合具１８１を係止する部位については金属製の受け部材１５３にて形成することができ、各裏側結合部１７６の一体的な形成を良好に行うことができる。
【０２６３】
また、４個の裏側結合部１７６のそれぞれに対して個別に受け部材を設置する構成では、裏側構成体１０２の結合領域形成部１５２に設置する部材は少なくとも４個必要となるが、全ての裏側結合部１７６に亘って設けられた受け部材１５３と、当該受け部材１５３をカバーするカバー部材１５４とを設けた本パチンコ機１０の構成では、結合領域形成部１５２に設置する部材は２個となる。つまり、裏側結合部１７６が３個以上設けられた構成においては、カバー部材１５４を裏側構成体１０２に対して別体で設けたとしても、各裏側結合部１７６のそれぞれに対して個別に受け部材を設置する従来の構成に比べ、部材点数の削減を図ることができる。また、これに伴って、裏側構成体１０２に裏側結合領域１５１を形成する上での作業工程数も、上記従来の構成に比べ少なくすることが可能となる。
【０２６４】
また、カバー部材１５４を裏側構成体１０２に対して別体で設けるのではなく、カバー部材１５４の機能を裏側構成体１０２に対して一体形成する構成も考えられるが、この場合、裏側構成体１０２を成型するための金型の構造上、受け部材１５３の周辺をカバーして当該受け部材１５３への不正なアクセスを阻止する機能が低下することが懸念される。これに対して、カバー部材１５４を裏側構成体１０２に対して別体で設けることで、上記不正なアクセスを阻止する機能が高められ、さらには上記のとおり、従来の構成に比べ、裏側結合領域１５１を形成する上での部材点数及び作業工程数の削減が図られる。
【０２６５】
カバー部材１５４に区画壁部１７５が形成されていることにより、裏側結合部１７６への対応する表側結合部１４２の配置が区画壁部１７５によりガイドされ、当該配置を良好に行うことができる。また、本構成によれば、凹み空間１６１の入口を複数の開口に区画する機能を有するカバー部材１５４においてガイド部としての機能が果たされるため、カバー部材１５４の多機能化が図られる。
【０２６６】
受け部材１５３は完成後の裏側構成体１０２の結合領域形成部１５２に対して設置されている。例えば、裏側構成体１０２の形成に際して受け部材１５３をインサート成型する構成も考えられるが、この場合、受け部材の不正な取り外し等を困難なものとすることができる反面、金型の複雑化等を招くこととなり好ましくない。また、完成後の裏側構成体１０２（溝部１５５）に対して別体で設けられた受け部材１５３を嵌め込む構成とすれば、上述したインサート成型を行う場合と比較して、金型の簡素化を図ることができる反面、受け部材１５３の不正な取り外しが行われやすくなると懸念される。このように受け部材１５３の取り外しが容易となれば、基板ボックス９２の不正な開放が行われやすくなったり、受け部材１５３に細工等施すことにより基板ボックス９２の不正開放の痕跡を隠蔽されやすくなったりすると想定され、防犯性の観点から好ましくない。
【０２６７】
これに対して、本実施の形態においては、受け部材１５３は裏側構成体１０２の結合領域形成部１５２に対して設置され、カバー部材１５４によって溝部１５５からの取り外しが規制されている。これにより、製造工程（金型）の複雑化を抑えつつ、受け部材１５３の不正な取り外しを抑制することが可能となる。よって、基板ボックス９２の形成を良好に行うことを可能としつつ、基板ボックス９２に対して行われる不正行為の抑制に貢献することができる。
【０２６８】
また、結合領域形成部１５２に対する受け部材１５３の固定箇所はカバー部材１５４により覆われている。これにより、完成後の裏側構成体１０２に受け部材１５４を設置するようにした構成において、裏側構成体１０２に対する受け部材１５３の固定状態を不正に解除しようとする行為を行いづらくすることが可能となる。また、本構成によれば、凹み空間１６１の入口を複数の開口に区画する機能を有するカバー部材１５４において、結合領域形成部１５２に対する受け部材１５３の固定箇所を覆う機能が果たされるため、カバー部材１５４の多機能化が図られる。
【０２６９】
第２結合具１８３は、仮止めされることにより、第２収容凹部１８４内に収容される構成とした。このように第２結合具１８３を結合準備状態で待機させておくことで、第２結合具１８３の紛失等を回避しやすくすることができる。また、第２結合具１８３は結合方向への押し込み操作は容易であるものの、操作部１８３ｂ全体が第２収容凹部１８４内に嵌まっているため、その取り外し（引き抜き）操作は困難なものとなっている。これにより、第２結合具１８３の不正な取り外しを抑制している。
【０２７０】
また、一の受け部材１５３をカバー部材１５４によって区画する場合、各表側結合部１４２，１４３に形成された貫通孔部１４４を介して受け部材１５３（特に他の貫通孔部１４４に対応する係止片１６８）への不正なアクセスがなされるおそれがある。この点、本実施の形態における貫通孔部１４４は、両結合具１８１，１８３によって予め塞がれている。具体的には、第２表側結合部１４３の貫通孔部１４４は仮止めされた第２結合具１８３によって塞がれている。このため、受け部材１５３及びカバー部材１５４がそれぞれ複数の結合部位に跨って設けられている構成であっても、このような構成を採用したことに起因する防犯性の悪化を好適に抑制することができる。また、貫通孔部１４４を介して破断ネジ１７０への不正なアクセスがなされることを抑制することもできる。
【０２７１】
連結部１４５，１４６を破壊することで、結合具１８１を用いた各結合部１４２，１７６の結合状態を維持しながら表側構成体１０１と裏側構成体１０２との分離を可能とする構成であるため、結合具１８１を用いた固定を強固に行うようにしつつ、表側構成体１０１と裏側構成体１０２との分離に際してその痕跡を残すことが可能となる。この場合に、連結部１４５は第１表側結合部１４２に対して設けられている。例えば、連結部１４５，１４６が裏側結合部１７６に対して設けられている構成を想定すると、連結部１４５，１４６を破壊しただけでは表側構成体１０１と裏側構成体１０２との分離を行うことができず、さらに受け部材１５３の破壊を要することが想定される。そうすると、表側構成体１０１と裏側構成体１０２との分離操作を容易に行うことができない。これに対して、連結部１４５，１４６が第１表側結合部１４２に対して設けられているため、上記のような不都合が生じることはなく、表側構成体１０１と裏側構成体１０２との分離操作を容易に行うことが可能となる。
【０２７２】
カバー部材１５４は受け板部１８５を備えており、表側構成体１０１と裏側構成体１０２とを組み合わせた状態では表側構成体１０１の枠部１１２及び主制御基板９１の周縁部と、裏側構成体１０２の支持台部１８８とにより受け板部１８５が挟持される。これにより、カバー部材１５４を一層安定した状態で設置箇所に保持させることができる。
【０２７３】
カバー部材１５４の装着に伴って、カバー部材１５４のカバー側係止部１９６と裏側構成体１０２の構成体側係止部１５８とが引っ掛かり同カバー部材１５４の取り外しが規制される。これにより、カバー部材１５４の取り外し規制作業の煩雑化を抑制することができる。
【０２７４】
これら各係止部１５８，１９６は、第1表側結合部１４２及び第２表側結合部１４３に
対応する各裏側結合部１７６の間に配置されている。これによりそれら裏側結合部１７６におけるカバー部材１５４の位置ずれが好適に抑制される。このため、結合具１８１，１８３を挿入する際に、裏側結合部１７６と結合具１８１，１８３とが支えるといった不都合が発生しにくくなる。故に、受け部材１５３の係止片１６８に対して結合具１８１，１８３を到達させやすくすることができる。
【０２７５】
構成体側係止部１５８とカバー側係止部１９６との両者が共に撓み変形し、それら変形量の総和（詳しくは各係止面１９８ａ，２００ａの変位量の総和）が掛かり代Ｘ１０を上回ることにより、それら両係止部１５８，１９６による引っ掛かり状態が解除される。換言すれば、いずれか一方の係止部１５８，１９６を撓ませても、係止状態を解除することができない。これにより、係止状態の不正な解除操作を困難なものとすることができる。例えば、不正行為者が単独で、係止状態の解除操作を行おうとしても、片方の手で構成体側係止部１５８を撓ませつつ、他方の手でカバー側係止部１９６を撓ませ、更にカバー部材１５４の引き抜き操作を行う必要があり、全ての操作を単独で行うことが困難なものとなる。故に、上述の如くカバー部材１５４の不正な取り外しが抑制される。
【０２７６】
構成体側係止部１５８の撓み変形、すなわち構成体側係止面１９８ａの変位は、第２カバー板部１７３によって規制されている。より具体的には、構成体側係止部１５８の最大撓み量、すなわち構成体側係止面１９８ａの最大変位量は、構成体側係止部１５８と第２カバー板部１７３との間に設けられた隙間寸法に基づいて規定されている。このため、構成体側係止部１５８のみを過度に変形させて、係止状態が解除されるといった不都合が生じにくくなっている。
【０２７７】
また、カバー側係止部１９６についても同様に、その最大撓み量、すなわちカバー側係止面２００ａの最大変位量が、同カバー側係止部１９６と受け部材１５３の内側対向板部１６４との隙間寸法に基づいて規定されている。このため、カバー側係止部１９６のみを過度に変形させて、係止状態が解除されるといった不都合が生じにくくなっている。
【０２７８】
以上詳述したように、第２カバー板部１７３及び内側対向板部１６４が設けられているため、片方の係止部１５８，１９６のみが撓み変形しても、係止状態が解除されることはない。これにより、係止状態の不正な解除を好適に回避できる。
【０２７９】
構成体側係止部１５８が撓み変形した際には、構成体側係止部１５８の先端部が第２カバー板部１７３の根元側に当たることでその撓み変形が規制される。このように、第２カバー板部１７３における根元側にて構成体側係止部１５８の変形を抑えることで、構成体側係止部１５８とともに第２カバー板部１７３が撓むことを抑制できる。これにより、第２カバー板部１７３におけるストッパ部としての機能を好適なものとすることができる。これは、カバー側係止部１９６についても同様である。詳しくは、カバー側係止部１９６が撓み変形した場合、カバー側係止部１９６の先端部が内側対向板部１６４の根元側（詳しくは内側溝壁部１５６の根元側）に当たることでその撓み変形が規制される。このように、内側対向板部１６４における根元側にてカバー側係止部１９６の変形を抑えることで、カバー側係止部１９６とともに内側対向板部１６４が撓むことを抑制できる。これにより、カバー側係止部１９６の過度の撓み変形が好適に抑えられる。
【０２８０】
また、これら各係止部１５８，１９６は第２カバー板部１７３と内側対向板部１６４とによって挟まれた領域に配置されている。これにより各係止部１５８，１９６を指等で撓ませるといった行為が困難なものとなっている。より詳しくは、カバー部材１５４と裏側構成体１０２によって区画された領域内に配置されている。このため、各係止部１５８，１９６の露出を抑え、これら係止部１５８，１９６に対して不正なアクセス（物理的な接触）がなされることを回避しやすくなっている。
【０２８１】
第２カバー板部１７３は、構成体側係止部１５８の両側及び根元側において、外側溝壁部１５７と平面部１０５とに接触している。このため、仮に第２カバー板部１７３に対して基板ボックス９２の内方に向けた外力が加わった場合であっても、そのような外力は外側溝壁部１５７及び平面部１０５にて分散され、構成体側係止部１５８に対して影響が及びにくくなっている。
【０２８２】
構成体側係止部１５８の係止爪部１９８が受け部材１５３の係止用凹部１６７に対して引っ掛かることにより、受け部材１５３の裏側構成体１０２からの取り外しが規制されている。すなわち、構成体側係止部１５８は、カバー部材１５４の取り外しを規制する機能に加えて、受け部材１５３の取り外しを規制する機能を併せ有している。これにより、構成体側係止部１５８の多機能化を実現している。
【０２８３】
より詳しくは、受け部材１５３を取り付ける時点では、カバー部材１５４は未装着となる。このため、構成体側係止部１５８の撓み変形は第２カバー板部１７３によって規制されることなく。受け部材１５３の溝部１５５奥側への移動を許容できるように撓み変形する。一方、カバー部材１５４が装着された後には、第２カバー板部１７３によって構成体側係止部１５８の撓み変形が規制され、最大に変形した場合であっても、受け部材１５３の取り外し規制が維持される。これにより、受け部材１５３の装着作業の簡略化を実現しつつ、カバー部材１５４を装着した後の取り外しを一層困難なものとすることができる。特に、カバー部材１５４の装着に伴って、受け部材１５３が位置ずれすることを抑制でき、実用上好ましい構成の実現に貢献することができる。
【０２８４】
構成体側係止部１５８に対応する「ストッパ部」としての第２カバー板部１７３がカバー部材１５４側に設けられているとともに、カバー側係止部１９６に対応する「ストッパ部」としての内側対向板部１６４が裏側構成体１０２側に設けられている。これにより、カバー部材１５４の位置ずれ等に起因して、両係止部１５８，１９６の係止解除が一方の係止部１５８，１９６の撓み変形のみに基づいて実現されるといった不都合を生じにくくすることができる。具体的に説明すれば、仮にカバー部材１５４の第２カバー板部１７３と構成体側係止部１５８との隙間寸法が広がる側に同カバー部材１５４が位置ずれした場合、カバー側係止部１９６は構成体側係止部１５８との掛かり代が増加する側に位置ずれすることとなる。すなわち、構成体側係止部１５８と第２カバー板部１７３との隙間の広がりに対応して、カバー側係止部１９６と構成体側係止部１５８との掛かり代が増すこととなる。また、仮にカバー側係止部１９６と構成体側係止部１５８との掛かり代が減少する側に同カバー部材１５４が位置ずれした場合、第２カバー板部１７３は構成体側係止部１５８との隙間寸法が狭まる側に位置ずれすることとなる。すなわち、構成体側係止部１５８とカバー側係止部１９６との掛かり代の減少に対応して、構成体側係止部１５８と第２カバー板部１７３との隙間が狭まることとなる。これにより、位置ずれに起因して、掛かり代と隙間寸法とのバランスが極度に崩れることを抑制し、係止状態の解除が容易になりにくくすることができる。
【０２８５】
また、カバー部材１５４を装着した状態においては、構成体側係止部１５８の先端部がカバー部材１５４の第１カバー板部１７２の板面に当接している。このように、構成体側係止部１５８と第１カバー板部１７２とを当接させることで、カバー部材１５４を装着した状態における、構成体側係止部１５８の撓み変形を抑えることができる。なお、カバー部材１５４の装着完了状態においては、カバー側係止部１９６の先端が受け部材１５３の連結板部１６６に当接している。このため、カバー側係止部１９６についても同様に撓み変形の抑制が行われる。
【０２８６】
構成体側係止部１５８の係止解除時における撓む側と、カバー側係止部１９６の係止解除時における撓む側とを逆となるように構成した。これにより、両係止部１５８，１９６の撓み変形時の動作範囲を狭めつつ、両係止部１５８，１９６の掛かり代の確保を容易なものとすることができる。故に、係止機構１９５の設置領域の広がりを抑えつつ、引っ掛かりが十分に行われないといった不都合の発生を抑えることができる。仮に係止機構１９５が大型化すると、動作範囲及び掛かり代の確保は容易となるものの、基板ボックス９２の大型化を招来することとなり好ましくない。この点、上述の如く引っ掛かり機能を担保しつつ係止機構１９５の小型化に貢献することができれば、基板ボックス９２の大型化を抑えることが可能となり、その技術的貢献度は大きなものとなる。
【０２８７】
カバー部材１５４は透明樹脂材料により形成されている。これにより、カバー部材１５４を装着完了した状態であっても、そのカバー部材１５４を取り外すことなく、両係止部１５８，１９６の状態を基板ボックス９２の外部から目視にて確認することができる。これにより、確認作業の効率化に貢献している。
【０２８８】
なお、上述した実施の形態の記載内容に限定されず、例えば次のように実施してもよい。ちなみに、以下の別形態の構成を、上記実施の形態における構成に対して、個別に適用してもよく、相互に組み合わせて適用してもよい。
【０２８９】
（１）上記実施の形態では、構成体側係止部１５８が係止爪部１９８を有し、カバー側係止部１９６が係止孔部２００を有する構成としたが、これを以下のように変更することも可能である。例えば、構成体側係止部１５８が係止孔部を有し、カバー側係止部１９６が係止爪部を有する構成としてもよい。また、両係止部１５８，１９６がそれぞれ係止爪部を有し、それら係止爪部同士が相互に引っ掛かる構成としてもよい。
【０２９０】
（２）上記実施の形態では、構成体側係止部１５８とカバー側係止部１９６とが逆側に撓み変形することによりそれら両係止部１５８，１９６の係止状態が解除される構成としたが、それぞれの係止部１５８，１９６の撓む側は「逆側」に限定されるものではない。
【０２９１】
以下、図２６に基づき一変形例について説明する。図２６（ａ）は構成体側係止部とカバー側係止部とを示す概略図であり、図２６（ｂ）〜図２６（ｄ）はカバー部材の着脱方向から見た両係止部の引っ掛かり状態を示す説明図であり、図２６（ｅ）はカバー部材の着脱方向から見た両係止部の引っ掛かり解除状態を示す説明図である。なお、構成体側係止部に関しては、上述した構成体側係止部１５８とほぼ同様の構成を有するため、詳細な説明は省略する。
【０２９２】
図２６（ａ）に示すように、カバー部材２３０のカバー側係止部２３１は、受け部材１５３の凹み空間１６１内における構成体側係止部１５８の側方（詳しくは裏側構成体１０２の上側周壁部１２２側）に配置されており、第１カバー板部２３２から裏側構成体１０２の平面部１０５側に起立するアーム部２３４を備えている。アーム部２３４は板状をなしており、その板面がカバー部材２３０の長手方向を向いている。このように、アーム部２３４が板状をなしていることで、上側周壁部１２２側へのたわみ変形が容易化されている。また、アーム部２３４の幅寸法は凹み空間１６１における両対向板部１６４，１６５間の隙間寸法とほぼ同等に設定されており、対向板部１６４，１６５側への撓み変形が抑えられている。
【０２９３】
アーム部２３４の先端側には、構成体側係止部１５８の係止爪部１９８に引っ掛かるカバー側係止爪部２３５が形成されている。より具体的には、カバー側係止爪部２３５は、アーム部２３４における構成体側係止部１５８と対峙する側の板面から突出している。カバー側係止爪部２３５は、係止爪部１９８の構成体側係止面１９８ａに対峙するカバー側係止面２３５ａを有しており、これら両係止面１９８ａ，２３５ａが引っ掛かることによって、裏側構成体１０２からのカバー部材２３０の取り外しが規制される。
【０２９４】
カバー側係止部２３１（詳しくはアーム部２３４）は裏側構成体１０２の上側周壁部１２２側に撓み変形することにより、カバー側係止面２３５ａは構成体側係止面１９８ａから離れる側に変位し、カバー側係止面２３５ａと構成体側係止面１９８ａとの掛かり代が減少する。
【０２９５】
また、アーム部２３４におけるカバー側係止爪部２３５が形成された側と反対側（すなわち上側周壁部１２２側）には、カバー側係止部２３１の撓み変形を規制するストッパ部２３７が形成されている。ストッパ部２３７は受け部材１５３の外側対向板部の一部が切り起こされてなり、当該外側対向板部から起立する板状をなしている。ストッパ部２３７は、所定の間隔を隔ててアーム部２３４と対峙しており、カバー側係止部２３１が撓んだ際には、その端部がアーム部２３４の板面に当たることで、それ以上の撓み変形が規制される。
【０２９６】
ここで、図２６（ｂ）〜図２６（ｄ）を用いて、両係止面１９８ａ，２３５ａの掛かり代について説明する。図２６（ｂ）に示すように、両係止部１５８，２３１が引っ掛かった状態においては、構成体側係止面１９８ａにおけるカバー側係止部２３１側の半分と、カバー側係止面２３５ａにおける構成体側係止部１５８側の半分とがカバー部材２３０の着脱方向において相互に重なった状態となっている。構成体側係止面１９８ａは全体として略矩形状をなしており、カバー側係止部２３１側で且つ自身の撓む側と反対側の角部には、構成体側切り欠き縁部２３８が形成されている。一方、カバー側係止面２３５ａにおいても同様に全体として略矩形状をなしており、構成体側係止部１５８側で且つ自身の撓む側と反対側の角部には、構成体側切り欠き縁部２３８と平行なカバー側切り欠き縁部２３９が形成されている。
【０２９７】
図２６（ｃ）に示すように、構成体側係止部１５８が撓み変形し、構成体側係止面１９８ａが第２カバー板部２３３側に変位した場合、両係止面１９８ａ，２３５ａの掛かり代は減少するものの、それら両係止面１９８ａ，２３５ａの一部は重なった状態で維持される。詳しくは、構成体側切り欠き縁部２３８の一部がカバー側係止面２３５ａに重なった状態のまま維持される。このため、両係止部１５８，２３１の引っ掛かり状態は好適に維持されることとなる。
【０２９８】
なお、本別例における構成体側係止面１９８ａの変位量、すなわち第２カバー板部１７３によって規定される規定変位量及び最大変位量はほぼ同等である。図２６（ｃ）には、最大変位が生じた場合の相対関係を示すが、規定変位が生じた場合であっても同様の相対関係が維持される。すなわち、構成体側切り欠き縁部２３８の一部がカバー側係止面２３５ａに重なった状態のまま維持される。
【０２９９】
このよう掛かり代が減少した状態において、残存する掛かり代、詳しくはカバー側係止部２３１の撓み方向における掛かり代は、カバー側係止面２３５ａの規定変位量及び最大変位量よりも小さくなっている。
【０３００】
また、図２６（ｄ）に示すように、カバー側係止部２３１が撓み変形し、カバー側係止面２３５ａがストッパ部２３７側に変位した場合、両係止面１９８ａ，２３５ａの掛かり代は減少するものの、それら両係止面１９８ａ，２３５ａの一部は重なった状態で維持される。詳しくは、カバー側切り欠き縁部２３９の一部が構成体側係止面１９８ａに重なった状態のまま維持される。このため、両係止部１５８，２３１の引っ掛かり状態は好適に維持されることとなる。
【０３０１】
なお、本別例におけるカバー側係止面２３５ａの変位量、すなわちストッパ部２３７によって規定される規定変位量及び最大変位量はほぼ同等である。図２６（ｃ）には、最大変位が生じた場合の相対関係を示すが、規定変位が生じた場合であっても同様の相対関係が維持される。すなわち、カバー側切り欠き縁部２３９の一部が構成体側係止面１９８ａに重なった状態のまま維持される。
【０３０２】
このよう掛かり代が減少した状態において、残存する掛かり代、詳しくは構成体側係止部１５８の撓み方向における掛かり代は、構成体側係止面１９８ａの規定変位量及び最大変位量よりも小さくなっている。
【０３０３】
ここで、図２６（ｃ）の状態からカバー側係止面２３５ａが変位した場合、又は図２６（ｄ）の状態から構成体側係止面１９８ａが変位した場合、図２６（ｅ）に示すように、両係止面１９８ａ，２３５ａの掛かり代が０となる。すなわち、構成体側係止面１９８ａが第２カバー板部２３３側に変位しているとともに、カバー側係止面２３５ａがストッパ部２３７側に変位している場合、両係止面１９８ａ，２３５ａの引っ掛かり状態が解除される。
【０３０４】
なお、カバー側係止部２３１には、上記実施の形態に示すガイド部１５８ａと同様のガイド部２４１がそれぞれ形成されている。カバー部材２３０を装着位置への移動に伴って、これらガイド部１５８ａ，２４１同士が接触し、各係止部１５８，２３１の撓み変形が実現される。
【０３０５】
（３）上記実施の形態では、各係止部１５８，１９６自身が撓み変形（弾性変形）することにより、係止状態と係止解除状態との切り替えを行ったが、これを以下のように変更してもよい。すなわち、係止部１５８，１９６を移動可能に設け、別途設けた部材（付勢部材）の撓み変形を伴いながら係止部１５８，１９６が移動することに基づいて、上述した係止状態と係止解除状態との切り替えを行ってもよい。
【０３０６】
以下、具体例を図２７（ａ）に基づいて説明する。構成体側係止部２５１は裏側構成体１０２に対して別体で設けられている。構成体側係止部２５１における平面部１０５側の端部には、カバー部材１５４の長手方向と同一方向に延びる軸部２５２が一体成形されている。裏側構成体１０２の外側溝壁部１５７には軸部２５２が嵌まる軸受け孔部２５３が形成されており、この軸受け孔部２５３に軸部が挿通されている。これにより構成体側係止部２５１は裏側構成体１０２に対して回動可能に軸支された状態となっている。
【０３０７】
構成体側係止部２５１と第２カバー板部１７３との間には板バネ２５５が設けられている。板バネ２５５は第２カバー板部１７３と平行な本体部２５６を有しており、この本体部２５６が同第２カバー板部１７３に接着されている。これにより、板バネ２５５がカバー部材１５４に対して一体化されている。
【０３０８】
板バネ２５５には構成体側係止部２５１側に突出する折曲部２５７が切り起こしされており、その折曲部２５７の先端が構成体側係止部２５１（詳しくはアーム部２５８）に接触している。なお、本体部２５６からの折曲部２５７の突出量は、構成体側係止部２５１と第２カバー板部１７３との隙間寸法よりも若干大きく設定されている。これにより、折曲部２５７が構成体側係止部２５１に接触した状態においては、同構成体側係止部２５１はカバー側係止部１９６側に付勢された状態となっている。
【０３０９】
カバー部材１５４を裏側構成体１０２に対して装着する際には、カバー側係止部１９６と構成体側係止部２５１とが当たることにより、構成体側係止部２５１は第２カバー板部１７３側に回動する。かかる場合、折曲部２５７が折りたたまれることとなり、構成体側係止部２５１が内側溝壁部１５６側に向けて付勢された状態となる。カバー部材１５４の所定の装着完了位置への移動に伴って、構成体側係止部２５１の係止爪部２５９がカバー側係止部１９６の係止孔部２００に嵌合可能な位置に至ると、板バネ２５５の付勢力により構成体側係止部２５１が回動し、元の位置に復帰する。これにより、係止爪部２５９が係止孔部２００に嵌まり、両者が引っ掛かった状態となる。
【０３１０】
以上詳述したように、板バネ２５５が弾性変形することにより、係止状態と係止解除状態との切り替えを実現することも可能である。なお、板バネ２５５に代えてコイルバネを用いることも可能である。
【０３１１】
（４）上記実施の形態では、カバー側係止部１９６の撓み変形を規制する「第１ストッパ部」としての内側対向板部１６４を裏側構成体１０２側に設け、構成体側係止部１５８の撓み変形を規制する「第２ストッパ部」としての第２カバー板部１７３をカバー部材１５４側に設けたが、これを変更し、「第１ストッパ部」をカバー部材１５４側に設け、「第２ストッパ部」を裏側構成体１０２側に設けてもよい。
【０３１２】
例えば、図２７（ｂ）に示すように、カバー部材１５４にカバー側係止部１９６の撓み変形を規制するカバー側ストッパ部２７１を一体形成し、裏側構成体１０２に構成体側係止部１５８の撓み変形を規制する構成体側ストッパ部２７２を形成するとよい。より詳しくは、カバー側ストッパ部２７１をカバー側係止部１９６に対して所定の隙間を隔てて対峙するように形成するとともに、構成体側ストッパ部２７２を構成体側係止部１５８に対して所定の隙間を隔てて対峙するように形成するとよい。
【０３１３】
（５）上記実施の形態では、構成体側係止部１５８によって裏側構成体１０２における外側溝壁部１５７の一部を構成したが、これに限定されるものではない。例えば、構成体側係止部１５８を外側溝壁部１５７に対して別個独立に形成することも可能である。
【０３１４】
（６）上記実施の形態では、各係止部１５８，１９６の先端部が「第１ストッパ部」としての内側対向板部１６４及び「第２ストッパ部」としての第２カバー板部１７３に当たることで各係止部１５８，１９６の撓みの規制を行ったが、これを変更し、各係止部１５８，１９６における先端部以外の部位が内側対向板部１６４及び第２カバー板部１７３に当たることで撓みの規制を行ってもよい。
【０３１５】
また、内側対向板部１６４及び第２カバー板部１７３をそれぞれ板状とした、これに限定されるものではない。すなわち、各係止部１５８，１９６の撓み変形を規制することができるものであれば、「第１ストッパ部」及び「第２ストッパ部」を板状とする必要はない。例えば、「第１ストッパ部」及び「第２ストッパ部」をカバー部材１５４や裏側構成体１０２から突出して形成された突起等によって構成することも可能である。なお、「第１ストッパ部」及び「第２ストッパ部」は必ずしもカバー部材１５４や裏側構成体１０２と一体成形する必要はなく、別体で形成した部材をそれらカバー部材１５４や裏側構成体１０２に取り付けてもよい。
【０３１６】
（７）上記実施の形態では、構成体側係止部１５８に構成体側ガイド部１５８ａを設けるとともに、カバー側係止部１９６にカバー側ガイド部１９９ａを設けたが、これに限定されるものではない、少なくとも一方にガイド部を設ける構成とすればよい。なお、各ガイド部１５８ａ，１９９ａを各係止部１５８，１９６に対して一体成形したがこれを変更し、各ガイド部１５８ａ，１９９ａを各係止部１５８，１９６に対して別途設けてもよい。
【０３１７】
（８）上記実施の形態においては、カバー側係止部１９６の撓み変形を受け部材１５３の内側対向板部１６４によって規制する構成とした。より詳しくは、裏側構成体１０２の内側溝壁部１５６によって支持された内側対向板部１６４に対してカバー側係止部１９６が当たる構成とした。これを以下のように変更することも可能である。すなわち、カバー側係止部１９６が内側対向板部１６４を介することなく、内側溝壁部１５６に対して直接当たる構成とすることも可能である。
【０３１８】
（９）上記実施の形態では、構成体側係止部１５８がカバー部材１５４の取り外し規制機能と受け部材１５３の取り外し規制機能とを併せ有する構成としたが、後者の機能を省略することも可能である。具体的には、構成体側係止部１５８と受け部材１５３の係止用凹部１６７との引っ掛かりを省略することも可能である。
【０３１９】
（１０）上記実施の形態では、受け部材１５３によって区画された凹み空間１６１内にて、両係止部１５８，１９６が引っ掛かる構成としたが、受け部材１５３の凹み空間１６１外にて両係止部１５８，１９６が引っ掛かる構成とすることも可能である。例えば、基板ボックス９２の内部空間内にて両係止部が引っ掛かる構成とすることで、それら係止部への不正なアクセスを一層困難なものとすることができる。
【０３２０】
（１１）上記実施の形態では、各係止部１５８，１９６の係止面１９８ａ，２００ａの変位量の総和が規定値に達することにより係止解除が可能となる構成としたが、両係止面１９８ａ，２００ａの変位量が共に最大となることで係止解除が可能となる構成としてもよい。
【０３２１】
（１２）上記実施の形態では、カバー部材１５４を装着する際に各係止部１５８，１９６において同期して撓み変形が生じる構成としたが、撓み変形が発生するタイミングは必ずしも同期させる必要はない。すなわち、両係止部が接触することにより、先ず片方の係止部が撓み変形し、規制された限界まで撓み、その撓み変形が抑えられた後、撓まなくなった係止部に押されることにより、他方の係止部が撓み変形する構成としてもよい。
【０３２２】
（１３）上記実施の形態では、カバー部材１５４の取り外し規制手段として、破断ネジ１７０を有する構成としたが、この破断ネジ１７０を省略してもよい。
【０３２３】
また、両構成体１０１，１０２によってカバー部材１５４が挟持される構成としたが、これを省略することも可能である。
【０３２４】
（１４）上記実施の形態では、係止機構１９５を第1表側結合部１４２と第２表側結合
部１４３との間に配置したが、これに限定されるものではなく、係止機構１９５をそれら各結合部１４２，１４３の間以外の部位に配置してもよい。
【０３２５】
また、係止機構１９５をカバー部材１５４の中央部分を挟んだ両側に配置したが、片側にのみ配置することも可能である。また、カバー部材１５４の中央部分に配置することも可能出る。但し、かかる場合、カバー部材１５４の位置連れ（例えば浮き上がり）が生じやすくなることが懸念される。故に、望ましくは係止機構１９５を少なくとも中央部分を挟んだ両側に配置するとよい。
【０３２６】
（１５）上記実施の形態では、カバー部材１５４の位置決め用突起１７７の間にカバー側係止部１９６を配置したが、これら位置決め用突起１７７の間以外の部位に配置することも可能である。但し、かかる場合、カバー側係止部１９６が撓み変形する際に、カバー部材１５４の位置ずれを招来しやすくなると想定され好ましくない。故に、望ましくは位置決め用突起１７７の間に配置するとよい。
【０３２７】
（１６）上記実施の形態では、構成体側係止部１５８の両側において第２カバー板部１７３と外側溝壁部１５７とが接触し、構成体側係止部１５８の根元側において第２カバー板部１７３と平面部１０５とが接触する構成としたが、構成体側係止部１５８の根元側における第２カバー板部１７３と平面部１０５との接触を省略することも可能である。
【０３２８】
（１７）上記実施の形態では、カバー部材１５４が複数の結合部１７６に対応する構成としたが、個々の結合部１７６に対して個別のカバー部材を設けることも可能である。
【０３２９】
また、上記実施の形態ではカバー部材１５４を合成樹脂製としたが、これに代えて金属製とすることも可能である。
【０３３０】
（１８）受け部材１５３が凹み空間１６１を有していることは必須の構成ではなく、一の板部に対して係止部１５８が形成されており、受け部材１５３単体で見た場合に、当該係止部１５８が空間内に収容されているのではなく、露出している構成としてもよい。この場合、係止部１５８が空間内に収容されていないことで上記実施の形態よりもセキュリティ性が低下するものの、受け部材１５４の構成の簡素化が図られる。
【０３３１】
（１９）上記実施の形態では、受け部材１５３を金属製としたが、裏側構成体１０２の壁部よりも高強度であれば金属製に限定されない。例えば、裏側構成体１０２を形成する合成樹脂材料又はそれとは別の合成樹脂材料にガラス繊維などの補強剤を分散させた材料により受け部材１５３を形成することで、裏側構成体１０２の壁部よりも高強度にしてもよい。また、裏側構成体１０２を形成する合成樹脂材料又はそれとは別の合成樹脂材料により形成したものに対してメッキなどの表面処理を施すことによって受け部材１５３を形成することで、裏側構成体１０２の壁部よりも高強度にしてもよい。
【０３３２】
（２０）上記実施の形態において、基板ボックス９２を形成するボックス構成体の数は複数であれば任意であり、４個以上のボックス構成体を組み合わせることにより、基板ボックス９２が形成される構成としてもよい。この場合に、主制御基板９１と表側構成体１０１との間に両者の空間を遮るように別のボックス構成体が設けられていてもよく、主制御基板９１と裏側構成体１０２との間に両者の空間を遮るように別のボックス構成体が設けられていてもよい。
【０３３３】
（２１）上記実施の形態においてフック部１１１及び係止受け１２１を不具備とし、基板ボックス９２の長辺部においては表側構成体１０１及び裏側構成体１０２を接着剤により接着する構成としてもよい。
【０３３４】
（２２）上記実施の形態では、両構成体１０１，１０２の再ボックス化（主制御基板９１の再収用）を１度だけ許容する構成としたが、再ボックス化を複数回許容する構成としてもよい。例えば、１つの第１表側結合部１４２によって両構成体１０１，１０２を固定する構成としてもよいし、第３表側結合部を追加して設けてもよい。
【０３３５】
（２３）上記実施の形態において主制御装置６３の基板ボックス９２に適用した構成を、音声ランプ制御装置６６、払出制御装置８２、電源及び発射制御装置８３といった他の制御装置に対して適用してもよい。
【０３３６】
（２４）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０３３７】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０３３８】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【符号の説明】
【０３３９】
１０…パチンコ機、６３…主制御装置、９１…主制御基板、９２…基板ボックス、１０１…表側構成体、１０２…裏側構成体、１４２…第１表側結合部、１４３…第２表側結合部、１５２…設置部としての結合領域形成部、１５３…受け部材、１５４…カバー部材、１５８…ボックス側係止部としての構成体側係止部、１５８ａ…案内部としての構成体側ガイド部、１６１…溝部としての凹み空間、１６４…第１ストッパ部としての内側対向板部、１６５…外側対向板部、１６８…係止片、１７２…第２ストッパ部としての第２カバー板部、１７７…位置決め用突起、１８１…固定具としての第１結合具、１８３…固定具としての第２結合具、１９５…規制手段としての係止機構、１９６…カバー側係止部、１９７…構成体側変形部としてのアーム部、１９８…係止爪部、１９８ａ…構成体側係止面、１９９…カバー側変形部としての起立部、１９９ａ…案内部としてのカバー側ガイド部、２００…係止孔部、２００ａ…カバー側係止面。
【図１】
2015110177.tif 000003
【図２】
2015110177.tif 000004
【図３】
2015110177.tif 000005
【図４】
2015110177.tif 000006
【図５】
2015110177.tif 000007
【図６】
2015110177.tif 000008
【図７】
2015110177.tif 000009
【図８】
2015110177.tif 000010
【図９】
2015110177.tif 000011
【図１０】
2015110177.tif 000012
【図１１】
2015110177.tif 000013
【図１２】
2015110177.tif 000014
【図１３】
2015110177.tif 000015
【図１４】
2015110177.tif 000016
【図１５】
2015110177.tif 000017
【図１６】
2015110177.tif 000018
【図１７】
2015110177.tif 000019
【図１８】
2015110177.tif 000020
【図１９】
2015110177.tif 000021
【図２０】
2015110177.tif 000022
【図２１】
2015110177.tif 000023
【図２２】
2015110177.tif 000024
【図２３】
2015110177.tif 000025
【図２４】
2015110177.tif 000026
【図２５】
2015110177.tif 000027
【図２６】
2015110177.tif 000028
【図２７】
2015110177.tif 000029